(57)【要約】  患者のサンプルを収容する収容チャンバと、第１の試薬貯槽と、第２の試薬貯槽とを含む、デバイスが提供される。収容チャンバは、サンプル収集要素の少なくとも端部分を収容するように構成されてよく、患者のサンプルは、サンプル収集要素によって収集される。第１の試薬貯槽は、概して、溶解剤を含んでよい液体試薬を収容するように構成され、即ち、液体は、一種の溶解緩衝液であってよい。同様に、第２の試薬貯槽は、概して、磁性粒子を含んでよい乾燥試薬を収容するように構成されてよい。デバイスは、以下の２つのアクチュエータ、即ち、第１の試薬貯槽からサンプルに第１の試薬を供給するための第１のアクチュエータ及び第２の試薬貯槽から結果として得られる混合物に第２の試薬を供給するための第２のアクチュエータとのうちの少なくとも１つを含む。
2019534449.tif 000002
【特許請求の範囲】
【請求項１】
分析の前に患者のサンプルを調製するデバイスであって、
−  ハウジングと、
−  アクチュエータとを含み、
前記ハウジングは、開口を備える収容チャンバと、試薬貯槽とを含み、
前記収容チャンバは、前記開口を通じて前記患者のサンプルの少なくとも部分を収容するように構成され、前記試薬貯槽は、試薬を収容するように構成され、
前記アクチュエータは、前記ハウジングに対して移動可能であり、前記アクチュエータは、前記収容チャンバを順次式に閉塞して、前記試薬貯槽に収容される前記試薬を前記収容チャンバの前記サンプルと接触させるように構成されるので、前記患者のサンプルは、前記試薬と少なくとも部分的に混合される、
デバイス。
【請求項２】
前記試薬貯槽内の前記試薬を含み、好ましくは、前記試薬は、溶解剤を含む、請求項１に記載のデバイス。
【請求項３】
前記アクチュエータは、アクチュエータ本体と、前記収容チャンバの前記開口を閉塞するように構成される閉塞要素と、前記アクチュエータの移動後に前記試薬を放出して前記患者のサンプルと接触させるように構成される放出要素とを含む、請求項１又は２に記載のデバイス。
【請求項４】
前記収容チャンバが前記アクチュエータによって閉じられた後の前記アクチュエータの逆方向の移動を阻止するように構成される阻止要素を更に含む、請求項１乃至３のうちのいずれか１項に記載のデバイス。
【請求項５】
前記アクチュエータは、前記開口を閉じるときに前記収容チャンバを封止するように更に構成される、請求項３又は４に記載のデバイス。
【請求項６】
前記アクチュエータは、前記収容チャンバから突出する前記サンプル収集要素の部分を切断するように更に構成される、請求項１乃至５のうちのいずれか１項に記載のデバイス。
【請求項７】
前記アクチュエータは、第１に、前記収容チャンバから突出する前記サンプル収集要素の部分を切断し、第２に、前記収容チャンバを閉塞して封止し、第３に、前記試薬貯槽から前記収容チャンバ内にある前記サンプル収集要素の前記部分に前記試薬を放出する、ように構成される、請求項６に記載のデバイス。
【請求項８】
前記閉塞要素は、前記アクチュエータが前記開口を閉じるように移動させられるときに互いに向かって移動する２つの把持要素を含む、請求項３乃至７のうちのいずれか１項に記載のデバイス。
【請求項９】
前記アクチュエータは、前記ハウジングに対して回転させられるように構成される、請求項１乃至８のうちのいずれか１項に記載のデバイス。
【請求項１０】
前記収容チャンバの閉塞装置が提供され、
該閉塞装置は、切断部分を含み、
該切断部分は、前記収容チャンバから突出し得るサンプル収集要素の部分を切断するように構成され、
前記供給アクチュエータは、前記収容チャンバの前記閉塞をアクティブ化する閉塞アクチュエータとしても作用し、サンプル収集要素の前記突出する部分の切断をアクティブ化する切断アクチュエータとしても作用する、
請求項１乃至９のうちのいずれか１項に記載のデバイス。
【請求項１１】
前記アクチュエータは、前記収容チャンバの円周に沿って移動するように構成される、請求項１乃至１０のうちのいずれか１項に記載のデバイス。
【請求項１２】
前記アクチュエータは、壁部分を含み、該壁部分は、前記アクチュエータが前記収容チャンバに対して移動するときに、前記試薬を前記試薬貯槽から供給させる、請求項１乃至１１のうちのいずれか１項に記載のデバイス。
【請求項１３】
第２の試薬貯槽を更に含み、該第２の試薬貯槽は、第２の試薬を収容するように構成され、第２のアクチュエータが、前記第２の試薬貯槽に前記液体を供給するように構成される、請求項１乃至１２のうちのいずれか１項に記載のデバイス。
【請求項１４】
患者のサンプルを分析するシステムであって、
−  請求項１乃至１３のうちのいずれか１項に記載のデバイスとして提供されるサンプル調製デバイスと、
−  該サンプル調製デバイスによって提供される液体の少なくとも１つの分析を行うように構成されるサンプル分析デバイスとを含む、
システム。
【請求項１５】
分析前に患者のサンプルを調製する方法であって、
試薬を提供して、該試薬を前記試薬貯槽内に挿入するステップと、
前記収容チャンバ内のサンプル収集要素の又は患者のサンプルの少なくとも部分を収容するステップであって、患者のサンプルは、前記サンプル収集要素の１つの部分の上にある、ステップと、
前記デバイスの前記ハウジングを閉塞するステップと、
前記患者のサンプルを少なくとも部分的に前記試薬と混合するために前記患者のサンプルに前記試薬を供給するステップとを含む、
方法。
【発明の詳細な説明】
【技術分野】
【０００１】
この発明は、国防高等研究計画局によって授与されたＨＲ００１１−１２−Ｃ−０００７の下で米国政府の支援を受けて行われた。米国政府は、本発明において一定の権利を有する。
【０００２】
本発明は、一般的には、分子診断に関する。具体的には、本発明は、分子診断を可能にするためにサンプル（試料）を取り扱い且つ調製するシステムに関する。
【背景技術】
【０００３】
多くの疾患について、サンプル中の検体（例えば、核酸、タンパク質、臨床化学成分、又は他のバイオマーカ）の臨床的に関連する濃度は極めて低く、結果として、許容できる時間枠内に直接的に検出されることができない。この問題に取り組むために、患者サンプルは、典型的には、標的分析物を精製する(purify)且つ／或いはその濃度を増加させるプロセスに先ず曝される。これらのプロセスは、集合的にサンプル調製(sample  preparation)と呼ばれる。分子診断（即ち、核酸の検出）のためのサンプル調製後、殆どの商業的に利用可能な診断方法は、問題の標的を増幅することによって進行し、それにより、その濃度を更に増大させ、しばしば数桁だけ増大させる。
【０００４】
サンプル調製プロセスは、一般には、患者からのサンプル取込みによって進められる。この取込み(uptake)は、サンプル塗布デバイスに直接的に行われることができ（例えば、血管を発射又は穿刺することによる血管からの血液の抽出、組織の取込み）、或いは使い捨てスワブ(swab)を使用して、例えば、血液、尿、精子、鼻分泌物又は膣分泌物の組織又は液体サンプルを採取することによって行われることができる。スワブを分析するために、患者材料がスワブから洗い流され、次に、下流処理のために利用可能になる。スワブを濯ぎ洗うことは、スワブの先端が僅かな攪拌の下で液体中に浸漬されることを必要とする。液体は、溶解活性(lysis  activity)を有することができる。
【０００５】
分子診断の標準的なサンプル調製プロセスの１つは、磁性粒子ベースの抽出と組み合わせられたブーム法(Boom  method)である。この方法では、細胞及びウイルスが高いイオン強度及び酸性ｐＨで先ず溶解される。これらの緩衝条件の下で、ＤＮＡ及びＲＮＡは、粒子のシリカコーティングに結合することができ、よって、溶液から抽出されることができる。この方法についての一般的なプロトコルは、典型的には、少なくとも以下の５つのステップを含む。
−  溶解緩衝液への患者サンプルの添加。
−  患者サンプルと溶解緩衝液の混合。
―  濾過によるＤＮＡ又はＲＮＡの除去（任意）。
−  サンプルへの磁性粒子の添加。
−  磁性粒子とサンプルの混合。
【０００６】
他の方法は、サンプル液がフィルタを通過するときにサンプル液から核酸を捕捉し、第２の緩衝液が流されるときに核酸を放出する、シリカフィルタを利用する。
【０００７】
多くのサンプル調製方法において、検体の抽出は、固体支持体への分子の結合によって達成される。これは、サンプル液が多孔質構造、即ち、フィルタを通じて流れることを可能にすること又は実質的に静止した液体中に適切な粒子を懸濁させることのいずれかによって行われることができる。磁気毛管弁技術（例えば、国際公開第２００９／０８３８６２号を参照）において、後者の手法は、検体を幾つかの洗浄チャンバを通じて磁気的に輸送する前に、検体を磁性粒子に先ず結合させることによって実施される。他の実施形態では、磁気毛管弁は、汚染物質、他の成分、又は溶解細胞の無関係な部分を廃棄チャンバに磁気的に輸送することによって、サンプルの洗浄機能を実施する。
【０００８】
通常、サンプル調製は、反応物をサンプルと接触させるステップを含み、それは、例えば、検体を前記磁性粒子と特別に結合させ且つ／或いは溶解目的のためにサンプルの細胞と化学的及び／又は機械的に相互作用させる。
【０００９】
サンプル調製の全てのこれらのステップは、時間がかかり且つ面倒であり得る、異なるチャンバ、輸送、混合、インキュベーションを含む、サンプル適用システムを必要とする。更に、これらのステップは、通常、訓練を受けた要員が実験室内で実施される必要があり、特に、全てのステップが正しい方法で確実に実行されることが確実にされる必要がある。ケア地点(point-of-care)、即ち、実験室の外側での患者サンプルの検体ベースの分析を可能にするために、サンプル調製方法は、既存のワークフローへのシームレスな統合を可能にし且つユーザエラーを大いに排除するよう、高度な使い易さのために最適化される必要がある。
【発明の概要】
【発明が解決しようとする課題】
【００１０】
上述の問題に鑑みて、適切な分析のためのサンプルの調製を可能にするシステムを提供することが本発明の目的と見られることができる。この目的及び更なる目的は、独立項の主題によって解決される。更なる実施形態は、従属項に記載される。
【課題を解決するための手段】
【００１１】
本発明によれば、ハウジングと、アクチュエータとを含む、分析前に患者のサンプルを調製するデバイスが提供される。ハウジングは、開口を備える収容チャンバと、試薬貯槽とを含む。収容チャンバは、開口を通じて患者のサンプルの少なくとも部分を収容するように構成され、試薬貯槽は、試薬を収容するように構成される。アクチュエータは、ハウジングに対して移動可能であり、アクチュエータは、収容チャンバを順次式に閉じて、試薬貯槽に収容される試薬を収容チャンバのサンプルと接触させるように構成されるので、患者のサンプルは、試薬と少なくとも部分的に混合される。
【００１２】
ある例において、デバイスは、サンプル収集要素を備える。
【００１３】
ある例において、試薬は、試薬を放出するようアクチュエータによって開放される筐体(enclosure)内に提供される。ある例において、筐体は、アクチュエータの２つの隣接する部分の間で狭窄され、それにより、試薬は、筐体から押し出される。他の例において、アクチュエータは、試薬を筐体から外に流出させるよう筐体に開口をもたらす穿孔要素又は穿刺要素を含む。
【００１４】
ある例において、試薬は、流体試薬の液体として提供される。
【００１５】
他の例において、試薬は、乾燥試薬として提供される。アクチュエータは、サンプル液内に試薬を注ぐように構成される。
【００１６】
ある例によれば、デバイスは、試薬貯槽内の試薬を含む。好ましくは、試薬は、溶解剤を含む。
【００１７】
ある例によれば、アクチュエータは、アクチュエータ本体と、収容チャンバの開口を閉塞するように構成される閉塞要素と、アクチュエータの移動後に試薬を放出して患者のサンプルと接触させるように構成される放出要素とを含む。
【００１８】
ある例によれば、閉塞要素は、アクチュエータが開口を閉じるように動かされるときに互いに向かって移動する２つの把持要素を含む。
【００１９】
ある例によれば、アクチュエータは、ハウジングに対して回転するように構成される。
【００２０】
ある例によれば、切断部分を含む収容チャンバの閉塞装置が提供され、切断部分は、収容チャンバから突出することがあるサンプル収集要素の部分を切断するように構成され、供給アクチュエータは、収容チャンバの閉塞装置をアクティブ化する閉塞アクチュエータとしても作用し、サンプル収集要素の突出する部分の切断を空く恥部化する切断アクチュエータとしても作用する。
【００２１】
ある例によれば、アクチュエータは、収容チャンバの円周に沿って動くように構成される。
【００２２】
ある例によれば、アクチュエータは、壁部分を含み、壁部分は、アクチュエータが収容チャンバに対して動くときに、試薬貯槽から試薬を供給させる。
【００２３】
ある例において、デバイスは、計量チャンバを備える第２のアクチュエータを更に含み、第２のアクチュエータは、試薬と患者のサンプルとを含む混合物を収容チャンバから計量チャンバ内に移送するように構成される。
【００２４】
ある例によれば、第２の試薬貯槽が提供され、第２の試薬貯槽は、第２の試薬を収容するように構成され、第２のアクチュエータが、第２の試薬貯槽に液体を供給するように構成される。
【００２５】
ある例において、アクチュエータは、試薬貯槽内に収容される試薬を収容チャンバに供給することによって、試薬がサンプルと接触させられるように更に構成されるので、患者のサンプルが収容チャンバ内にあるとき、患者のサンプルは、試薬と少なくとも部分的に混合される。
【００２６】
本発明によれば、患者のサンプルを分析するシステムも提供される。システムは、先行する例のうちの１つに従ったデバイスとして提供されるサンプル調製デバイスと、調製デバイスによって提供される液体の少なくとも１つの分析を行うように構成される。
【００２７】
本発明によれば、分析前に患者のサンプルを調製する方法も提供される。方法は、
ａ）試薬を提供して、試薬貯槽内に記試薬を挿入するステップと、
ｂ）収容チャンバ内のサンプル収集要素の又は患者のサンプルの少なくとも部分を受け取るステップであって、患者のサンプルは、サンプル収集要素の１つの部分の上にある、ステップと、
ｃ）デバイスのハウジングを閉塞するステップと、
ｄ）患者のサンプルを少なくとも部分的に試薬と混合するために患者のサンプルに試薬を供給するステップとを含む。
【００２８】
ある例では、既述の問題のための解決策を提供するデバイスが、患者のサンプルを収容する収容チャンバと、第１の試薬貯槽及び／又は第２の試薬貯槽とを含む。収容チャンバは、サンプル又はサンプル収集要素の少なくとも端部分を収容するように構成され、患者のサンプルは、そのサンプル収集要素によって収集される。第１の試薬貯槽は、液体、ゼリーのような試薬又は乾燥した試薬を収容するように概ね構成されてよい。試薬は、溶解剤を含んでよい。即ち、第１の試薬は、ある種の溶解緩衝液(lysis  buffer)であってよい。同様に、第２の貯槽は、第２の試薬を収容するように概ね構成されてよい。第２の試薬は、サンプル中の標的化された検体又はサンプル中の汚染物を特異に結合するように構成されてよい。試薬は、診断目的のための分析検出を可能にするか或いは強化するラベル及び／又はアクティブ化可能な要素がアクティブ化によってアクティブ化されるならば検体又は汚染物の駆動又は輸送を可能にするアクティブ化可能な要素に更に結合されてよい。このアクティブ化可能な要素は、磁性手段（コイル及び／又は磁石）によって磁気的にアクティブ化される磁性粒子を含んでよい。より一層具体的な場合には、それらの磁性粒子をラベルとして使用することもできる。一般的に、第１の試薬は、第２の試薬と異なってよい。
【００２９】
更に、デバイスは、少なくとも１つのアクチュエータを含んでよい。デバイスは、第１の試薬をサンプルと接触させるための第１のアクチュエータと、第２の試薬をサンプルと接触させるための第２のアクチュエータとを含んでよい。デバイスは、第１の試薬貯槽から収容チャンバに第１の試薬を供給するように構成されるアクチュエータを含んでよい。アクチュエータは、更に又は代替的に、収容チャンバから第１の試薬貯槽にサンプルを供給するように構成されてよい。その上、アクチュエータは、第１の試薬貯槽からの第１の試薬及び収容チャンバからのサンプルを混合チャンバに供給するように構成されてよい。デバイスは、第２の試薬貯槽から収容チャンバに第２の試薬を供給するための或いは収容チャンバから第２の試薬貯槽にサンプルを供給するためのアクチュエータを含んでよい。更に、デバイスは、第２の試薬貯槽からの第２の試薬及び収容チャンバからのサンプルを混合チャンバに供給するためのアクチュエータを含んでよい。
【００３０】
ある例によれば、患者のサンプルをサンプル収集要素から取り除くことができるように並びに試薬が患者のサンプルを含むように、第１の試薬貯槽からサンプル又はサンプル収集要素に試薬を供給するように構成された、アクチュエータが設けられてよい。
【００３１】
他の例によれば、患者のサンプルを含む液体を第二の試薬貯槽からの試薬と混合するように構成されたアクチュエータが提供されてよい。第２のアクチュエータは、患者のサンプル及び試薬の両方を含む液体を分析デバイスに供給するように更に構成されてよい。
【００３２】
ある例によれば、最初に述べたアクチュエータは、最初のアクチュエータがその最終位置に達するまで、即ち、第１の試薬を収容チャンバ内のサンプルに供給させるまで、第２に述べたアクチュエータのいかなる動きをも阻止するように構成されてよい。例えば、第１の試薬貯槽内の溶解緩衝液ポーチを狭窄することがある要素は、収容チャンバから液体を引き出す計量チャンバの動きを阻止することがある。
【００３３】
２つのアクチュエータが設けられる場合、アクチュエータは、第１のアクチュエータ及び第２のアクチュエータとして示されることがあることに留意のこと。更に、「第１」及び「第２」という用語は、アクチュエータを示すために主として使用されることに更に留意のこと。アクチュエータは、さもなければ「上方」及び「下方」アクチュエータと呼ばれることもある。結果的に、本明細書に記載の実施形態に従ったデバイスが１つだけのアクチュエータを含むならば、そのアクチュエータは、そのアクチュエータが、ある実施形態において、例えば、「第１」又は「第２」のアクチュエータとして以下に記載されることがあるとしても、特定の用語によって示されない。同じことが、第１及び第２の試薬ならびに第１及び第２の試薬貯槽について、それぞれ当て嵌まる。
【００３４】
ある例によれば、デバイスは、ハウジングと、アクチュエータとを含んでよい。ハウジングは、収容チャンバと、試薬貯槽とを含んでよく、収容チャンバは、サンプル又はサンプルを備えるサンプル収集要素の少なくとも一部分を収容するように構成され、試薬貯槽は、試薬を収容するように構成される。アクチュエータは、ハウジングに対して移動可能であってよく、収容チャンバを順次式に閉じて、試薬貯槽内に収容される試薬を収容チャンバのサンプルと接触させる、ように構成されていてよい。アクチュエータは、代替的に又は更に、試薬を試薬貯槽から収容チャンバに供給するように或いはサンプルを収容チャンバから試薬貯槽に供給するように構成されてよい。アクチュエータは、試薬貯槽からの試薬及び収容チャンバからのサンプルを混合チャンバに供給するように構成されてもよい。デバイスは、患者のサンプルを試薬と混合するように更に構成されるのが有利である。この操作は、具体的には、患者のサンプルを備えるサンプル収集要素（例えば、スワブ）が収容チャンバ内にあるときに、患者のサンプルが、少なくとも部分的にサンプル収集要素から取り除かれるように実行されてよい。
【００３５】
試薬は、試薬を保持することができる手段によって第１の試薬貯槽に挿入されてよい。試薬が液体又はゼリー状の試薬であるならば、試薬を保持する手段は、スポンジ、弾性パッド若しくはバッグ、又はバイアル（ガラス瓶）であってよい。試薬を保持する手段の種類に依存して、試薬をサンプル収集要素に供給するためのアクチュエータは、スポンジを絞るか、バッグ又はパッドが爆発して試薬を放出するまで、閉じられたバッグ又はパッドであってよいバッグ又はパッドを押すか、或いは硬いバイアルを破壊して試薬を放出させる、ように構成されてよい。試薬が乾燥しているならば、試薬は、バッグ、パッド又はバイアル内に保持されてよい。
【００３６】
換言すれば、デバイスのアクチュエータの第２の機能は、試薬がサンプルと化学的に及び／又は機械的に反応するのを可能にするために、試薬、例えば、乾燥又は液体溶解試薬を、液体又は乾燥患者サンプルと接触させることとして見られることができる。よって、液体の患者のサンプルは、乾燥した試薬と接触するようになってよく、多かれ少なかれ乾燥した患者のサンプルは、液体の試薬と接触するようになってよいことが、理解されるであろう。
【００３７】
ある例によれば、アクチュエータは、開口を閉じるときに収容チャンバを封止するように且つ／或いはサンプル収集要素をカプセル化するように更に構成されてよい。
【００３８】
アクチュエータは、閉塞要素を含んでよく、閉塞要素は、例えば、ハウジングに対するアクチュエータの移動後に収容チャンバの開口を覆う表面を含み、患者のサンプル及び／又はスワブのようなサンプル収集要素の少なくとも一部分は、その開口を通じてハウジングの収容チャンバに挿入されてよい。閉塞要素は、アクチュエータに固定的に取り付けられてよい或いはアクチュエータ本体と一体的に形成されてよい別個の要素であってよい。
【００３９】
ある例によれば、アクチュエータは、閉塞要素と、作動手段とを含んでよく、閉塞要素は、収容チャンバを閉じるように構成されてよく、作動手段は、患者のサンプルに試薬を供給するように構成されてよい。閉塞要素は、開口を閉塞するために、アクチュエータが作動させられるときに他方に対して一方が移動する２つの要素を含んでよく、２つの閉塞要素は、それぞれ、把持部材によって提供される。作動手段は、閉塞要素を取り囲んでよく、試薬を供給してサンプル収集要素からのサンプルの除去を実行するために、ハウジングの中心軸について回転するように設計されてよい。作動手段は、サンプル収集要素からサンプルを除去するために、アクチュエータが回転させられるときに、サンプル収集要素が押し付けられることがある、内壁であってよい。
【００４０】
ある例によれば、アクチュエータは、収容チャンバから突出することがあるサンプル収集要素の一部分を切断するように更に構成されてよい。
【００４１】
アクチュエータは、アクチュエータ本体に取り付けられてよい或いはアクチュエータ本体と一体的に形成されてよい、即ち、アクチュエータ本体の一部分である、切断要素を含んでよい。
【００４２】
ある例によれば、アクチュエータは、第１に、収容チャンバから突出するサンプル収集要素の部分を切断し、第２に、収容チャンバを閉じて封止し、第３に、試薬を試薬貯槽から収容チャンバ内にあるサンプル収集要素の部分に放出する、ように構成される。
【００４３】
ある例では、サンプル収集要素を切断するための鋭利なエッジが、収容チャンバを閉じる閉塞要素に設けられることがあるので、第１に、ハウジングから突出するサンプル収集要素の部分を切断することができ、第２に、アクチュエータの更なる移動は、ハウジング内の収容チャンバを閉塞する。ハウジングを閉塞するためだけでなく封止するためにもシーリング要素が設けられてよい。サンプル収集要素の部分を切断し、収容チャンバを閉塞及び／又は封止した後に、アクチュエータは、第１の試薬貯槽からサンプル収集要素に試薬を供給してよい。
【００４４】
更なる例によれば、アクチュエータは、収容チャンバの円周に沿って移動するように更に構成されてよい。
【００４５】
収容チャンバは、患者のサンプル又はステムのない綿スワブのようなサンプル収集要素を完全に収容するのに十分な大きさであてよいことが理解されるであろう。しかしながら、サンプル収集要素が使用されることが意図され、その要素が長いステムを含む場合、そのようなステムは、例えば、アクチュエータの鋭いエッジによって切断されてよい。
【００４６】
液体がデバイスの内部で使用されるとき、デバイスは上方部分と下方部分とを有し、デバイスが適切な向きにあるときにのみ、その液体は流れ、適切な方法で移送される場合があることが、更に理解されるであろう。デバイスの主軸は、垂直軸であってよく、円周の周りの移動は、デバイスの垂直軸の周りの回転運動と考えられてよい。
【００４７】
ある例によれば、デバイスは、収容チャンバがアクチュエータによって閉じられた後にアクチュエータの逆方向の動きを阻止するように構成される、阻止要素(blocking  element)を更に含む。
【００４８】
例えば、阻止要素は、スナップオン接続の弾性要素を含んでよく、或いはラチェット機構のような複数の歯又はフックを有してよく、一方向にのみ移動を可能にする。
【００４９】
ある例によれば、デバイスは、一度だけ使用されるように構成される。具体的には、アクチュエータは、一度だけ作動させられてよい、即ち、ハウジングに対して移動させられてよい。第１のアクチュエータは、第１のアクチュエータの逆方向の動きが可能でない阻止位置(blocking  position)にあってよく、収容チャンバがアクチュエータによってしっかりと閉じられるやいなや、阻止位置に到達してよい。
【００５０】
ある例によれば、分析前に患者のサンプルを調製するデバイスが、ハウジングと、アクチュエータとを含んでよく、ハウジングは、任意的に、収容チャンバと、試薬貯槽とを含んでよく、収容チャンバは、患者のサンプルを収容するように構成され、試薬貯槽は、試薬を収容するように構成される。アクチュエータは、ハウジングに対して移動可能であってよく、収容チャンバ内に収容される液体の所定の量を抽出するように並びに抽出された液体を試薬貯槽に供給するように構成されてよいので、試薬は、液体中に懸濁される。
【００５１】
ある例によれば、デバイスは、計量チャンバを含んでよく、アクチュエータは、所定量の液体が試薬と混合させられることがあるように、患者のサンプルを含む液体を収容チャンバから計量チャンバ内に吸い込むように構成される。液体と試薬との混合は、アクチュエータによって生成される乱流によって改良されることがある。この乱流は、試薬とサンプルとのより良好な混合を生じさせるのに十分でなければならない。例えば、アクチュエータは、非線形の流路(flow  channel)及び／又はその長さに沿って異なる断面を備える流路を含んでよい。そのようなチャネル(channel)は、デバイスのハウジング内に設けられてもよいことが理解されるであろう。アクチュエータは、チャネルがアクチュエータ内及び／又はハウジング内に形成されるか否かに拘わらず、液体をチャネル内に押し込むように構成されてよい。換言すれば、アクチュエータは、患者のサンプルと試薬とを含む液体混合物を収容チャンバから計量チャンバに、そして、計量チャンバから分析デバイスの検出チャンバに移送するように構成されてよく、混合物は、分析デバイスの検出チャンバで分析されてよい。デバイスは、混合物を更に処理するために、試薬貯槽内に収容される試薬及び／又はフィルタを更に含んでよい。
【００５２】
ある例によれば、デバイスの計量チャンバは、液体を収容チャンバから計量チャンバ内へ抽出することがある上方オリフィスと、抽出された液体を試薬チャンバに供給することがある下方オリフィスとを含んでよい。あるオプションにおいて、第１のオリフィスは、シリンダ内に設けられ、第２のオリフィスは、ピストン内に設けられる。代替的又は追加的なオプションでは、ひとたび計量チャンバの容積が増大させられて、アンダープレッシャー(underpressure)が蓄積されると、第１のオリフィスが計量チャンバと収容チャンバとの間の接続をもたらすよう、第１のオリフィスは、シリンダの下方部分に配置される。代替的又は追加的なオプションでは、ひとたび液体が計量チャンバ内に抽出され、計量チャンバから液体を押し出すために計量アクチュエータが作動させられると、第２のオリフィスが計量チャンバと試薬チャンバとの間の接続をもたらすよう、第２のオリフィスは、少なくとも部分的にベースの開口部材によって開かれる開放可能な閉塞装置(closure)で覆われるように配置される。
【００５３】
好ましくは、オリフィスは、アクチュエータの壁内の流出への流体経路を形成するチャネル又は貫通穴として定められるので、流体接続が、計量チャンバと収容チャンバとの間に確立されることができる。
【００５４】
ある例において、液体は、抽出によって収容チャンバから計量チャンバに抽出され、抽出された液体は、供給によって試薬チャンバに供給される。
【００５５】
ある例において、抽出された液体は、試薬貯槽及び／又は検出チャンバ、即ち、分析デバイスに供給される。
【００５６】
ある例によれば、液体を計量して液体を分析デバイスの方向に移送するためのアクチュエータは、実質的にデバイスの長手軸の周りに延び、アクチュエータの作動は、この長手軸に沿う方向において行われてよい。
【００５７】
ある例において、デバイスは、計量チャンバから試薬チャンバ及び／又は液体収容容積への液体の供給を防止するように構成される穿刺可能なシールを更に含む。あるオプションでは、ベースと容器との相互作用係合後に、好ましくは、更なる移動後に、穿刺部材がシールを穿刺することによって開口を提供するように、穿刺部材が、ベースから延びるベースに設けられる。
【００５８】
ある例において、シールは、穿刺可能な箔、即ち、穿刺可能なフィルム、例えば、穿刺可能な膜として提供される。ある例において、膜は、液密であり且つ気密である。
【００５９】
液体収容容積は、更なるチャンバとして或いは貯槽として或いは供給チャネルとして提供されてよい。
【００６０】
ある例において、シール又は穿刺可能な膜は、試薬貯槽への液体の供給を防ぐように構成される。
【００６１】
ある例において、シール又は膜の全体は、乱流を生成するためにピストンの直径よりも小さく設けられる。
【００６２】
他の例によれば、デバイスの出口は、穿刺要素によって穿刺可能なシール又は膜を備えるチャネルであってよい。代替的に、出口チャネルは、分析デバイス内に設けられる穿刺可能な膜を穿刺するように設計された穿刺要素内に設けられてよい。両方の場合において、穿刺可能な膜は、穿刺可能な膜が穿刺されるまで、分析デバイスへの液体混合物の供給を妨げるように構成される。
【００６３】
ある例によれば、アクチュエータは、液体を試薬チャンバに供給するときに液体の乱流を生成するように更に構成される。
【００６４】
ある例では、切断部分を含む収容チャンバの閉塞装置が提供され、切断部分は、収容チャンバから突出することがあるサンプル収集要素の一部分を切断するように構成される。供給アクチュエータは、収容チャンバの閉塞装置を作動させる閉塞アクチュエータとしても作用し、サンプル収集要素の突出部分の切断を作動させる切断アクチュエータとしても作用する。
【００６５】
ある例によれば、アクチュエータは、患者のサンプルと試薬とを含む液体を供給するために、試薬を収容チャンバ内に設けられるサンプルと接触させるように構成される。あるオプションにおいて、アクチュエータは、患者のサンプルと試薬とを含む液体を提供するために、試薬をサンプルと接触させるように構成される。更なるオプションでは、追加的に又は代替的に、アクチュエータは、分析目的のために所定量の液体を分析デバイスに供給するように構成される。
【００６６】
ある例において、試薬は、他の試薬である。
【００６７】
ある例において、アクチュエータは、第１の試薬供給貯槽から収容チャンバ内のサンプルに試薬を供給するように構成された供給アクチュエータを含み、好ましくは、供給アクチュエータは、第１の試薬供給貯槽の容積を減少させることにより、試薬が第１の試薬供給貯槽から出て収容チャンバに入るようにさせるように構成され、且つ／或いは、好ましくは、アクチュエータは、手動で加えられる起動力(activation  force)を供給アクチュエータに提供するように構成された２つの把持部材を含む。
【００６８】
ある例において、アクチュエータは、計量チャンバの上流に設けられた第１の試薬供給貯槽を含む。
【００６９】
他の例において、アクチュエータは、計量チャンバの下流に設けられた第２の試薬供給貯槽を含む。
【００７０】
オプションとして、ある例では、第１及び第２の試薬供給貯槽の両方が設けられる。
【００７１】
ある例において、ベースに設けられる第２の試薬供給貯槽は、ＲＮＡ又はＤＮＡを結合する磁性粒子を含む。上方部分に設けられる第１の試薬供給容器貯槽は、サンプルと接触させられるべき溶解緩衝液を収容する。
【００７２】
ある例によれば、デバイスは、穿刺可能な膜が穿刺されるまで、分析デバイスへの液体混合物の供給を防止するように構成される穿刺可能な膜を更に含んでよい。例えば、デバイスの出口が、穿刺要素によって穿刺可能な膜を備えるチャネルとして形成されてよい。
【００７３】
代替的に、出口チャネルは、分析デバイスに設けられる穿刺可能な膜を穿刺するように設計された穿刺要素に設けられてよい。
【００７４】
ある例によれば、デバイスは、計量チャンバを有するアクチュエータを含んでよく、アクチュエータは、収容チャンバから計量チャンバへ液体を吸い込み、検出チャンバの方向に計量チャンバから液体を押し出す、ように構成される。計量チャンバと検出チャンバとの間には、試薬を収容するように構成された試薬貯槽が設けられてよく、試薬は、液体が計量チャンバから試薬貯槽を通じて検出チャンバに押し出されるときに、液体中に懸濁させられることができる。試薬は、乾燥試薬又は固体試薬、好ましくは、磁性試薬であってよい。
【００７５】
ある例によれば、液体のいくつかの要素を濾過するために、計量チャンバと検出チャンバとの間に濾過構成要素(filtering  component)が配置されてよい。フィルタ構成要素(filter  component)は、収容チャンバと分析デバイスとの間の液路内に設けられてよく、アクチュエータは、アクチュエータが作動させられるときに、収容チャンバからの液体の移送がフィルタを通過するように、構成されてよい。
【００７６】
デバイスは、使い捨てデバイスであってよい。
【００７７】
本発明によれば、上述のデバイスを使用する方法も提供される。本方法は、第１の試薬を提供し、第１の試薬を第１の試薬貯槽に挿入するステップと、収容サンプル又はサンプルを備えるサンプル収集要素の少なくとも一部をチャンバ内に収容するステップと、デバイスのハウジングを閉じるステップと、患者のサンプルと第１の試薬とを含む液体混合物を生成するために、患者のサンプルに第１の試薬を供給するステップとを含んでよい。本方法は、収容チャンバを封止するステップを更に含んでよく、サンプル収集要素が使用される場合には、収容チャンバから突出するサンプル収集要素の一部を切断するステップを更に含んでよい。
【００７８】
ある例によれば、上述のデバイスを使用する方法が、ハウジングの収容チャンバ内に液体を収容するステップと、収容チャンバから液体の所定の量を抽出するステップと、計量された液体を試薬貯槽に供給するステップと、液体を試薬貯槽内に収容された試薬と混ぜるステップとを含んでよい。全てのこれらのステップは、単一の操作でアクチュエータを作動させることによって実施されてよい。計量された液体を試薬貯槽に供給するステップは、液体の乱流を生成するステップを含んでよい。本方法は、収容チャンバ内に患者のサンプルを収容するステップを更に含んでよく、収容チャンバ内に液体を収容するステップは、患者のサンプルに試薬を適用して、患者のサンプルと試薬との混合物を生成するステップを含む。
【００７９】
更なる例では、分析前に患者のサンプルを調製するデバイスが提供される。デバイスは、ハウジングと、アクチュエータとを含む。ハウジングは、収容チャンバを含む。収容チャンバは、液体を収容するように構成される。アクチュエータは、ハウジングに対して移動可能である。アクチュエータは、収容チャンバに収容される液体の所定の量を抽出して、抽出した液体を試薬チャンバに供給するように更に構成されるので、試薬は、液体中に懸濁される。アクチュエータは、所定の量の液体を受け取って、所定の量の液体を試薬チャンバに供給するように構成された、計量チャンバを含む。
【００８０】
ある例において、収容チャンバは、サンプルを収容して、液体を送達するように構成される。
【００８１】
更なる例において、収容チャンバは、患者のサンプルを含む液体を収容するように構成される。収容チャンバは、非液体サンプルも収容してよい。しかしながら、全ての場合において、それは、計量チャンバの更に下流に試薬を供給することに加えて、液体（サンプル自体又は他の試薬と混合されたサンプル）を送達する。
【００８２】
所定の量の液体は、この所定の容積、即ち、液体の量を収容することができるように計量チャンバを設けることによって、予め決定される。計量チャンバ内の液体の量は、抽出されるべき、即ち、試薬チャンバに供給されるべき、液体の量と等しいか或いは最小限により多い。
【００８３】
ある例において、収容される液体の量は、必ずしも供給される液体の量と等しくない。即ち、計量チャンバ内の液体の小さな部分が、試薬チャンバへの供給後に計量チャンバ内に留まってよい。故に、決定された量が、計量チャンバから送達される。この決定された量は、所定の量以下であり得る。
【００８４】
ある例において、ハウジングは、試薬チャンバへの流出(outflow)を含む。
【００８５】
アクチュエータをアクチュエータ構成と呼ぶこともできる。
【００８６】
ある例では、収容チャンバ内でサンプルを収容し、そして、収容チャンバに流体試薬を加えて、液体を提供することが提供される。これは計量チャンバの下流で提供される試薬とは異なる。
【００８７】
ある例では、収容チャンバ内で非液体又は非流体サンプルを収容し、そして、収容チャンバに流体試薬を加えて、液体を提供することが提供される。
【００８８】
他の例では、収容チャンバ内に液体又は流体サンプルを収容し、そして、収容チャンバに非流体又は非液体試薬を加えて、液体を提供することが提供される。
【００８９】
更なる例では、収容チャンバ内に液体又は流体サンプルを収容し、そして、収容チャンバに液体又は流体試薬を加えて、液体を提供することが提供される。
【００９０】
一層更なる例では、収容チャンバ内に液体又は流体サンプルを収容して、液体を提供することが提供される。
【００９１】
他の例では、液体又は流体サンプルが提供され、液体又は流体試薬が計量チャンバの下流に加えられる。
【００９２】
更なる例では、液体又は流体サンプルが提供され、非液体又は非流体試薬が計量チャンバの下流に加えられる。
【００９３】
「試薬チャンバ(reagent  chamber)」という用語は、所定の量の液体が供給される容積に関する。試薬は、そのチャンバ内の液体に或いはチャンバに向かって流れるときに供給されてよい。例えば、試薬は、チャンバの内側に或いは計量チャンバの流出後に提供される。試薬は、計量チャンバの前に提供されてもよい。ある例において、試薬は、計量チャンバの後に提供される。更なる試薬が計量チャンバの前に加えられてよい。試薬は、試薬チャンバ内の流体中に存在する。
【００９４】
ある例において、試薬は、試薬チャンバ内の液体に提供される。この試薬チャンバの高さは、特に、好ましくは、試薬チャンバの入口に面する、試薬チャンバの側面に設けられる試薬の層の厚さに関して、例えば、乱流によって、良好な混合を作り出すための鍵として提供されてよい。例えば、計量チャンバの断面に対して小さい断面を有する（複数の）チャネルが、乱流を生成する際に支持する。入口は、試薬チャンバ内への液体の流れを増加させるように構成されることにより、混合及び乱流を向上させる。
【００９５】
「試薬貯槽(reagent  reservoir)」という用語は、試薬が提供される容積に関し、その試薬は、液体に加えられる。
【００９６】
ある例では、試薬を収容するように構成された試薬貯槽が提供される。
【００９７】
ある例では、試薬、例えば、乾燥試薬を収容し且つ／或いは蓄えるように構成された第１の試薬貯槽が提供される。
【００９８】
ある例では、試薬貯槽を試薬チャンバとも呼ぶ。
【００９９】
ある例において、計量チャンバは、液体を引き込むための第１の開口と、液体を排出するための、第１の開口とは異なる第２の開口とを有する。
【０１００】
第１の開口は、計量チャンバの入口であり、第２の開口は、計量チャンバの出口である。
【０１０１】
「引き込む(to  draw  in」という用語は、収容チャンバからの液体の抽出(extraction)を指す。
【０１０２】
「排出する(to  eject)」という用語は、計量チャンバ内に抽出された液体の提供（供給）を指す。
【０１０３】
ある例において、デバイスは、試薬、好ましくは、乾燥試薬を含む、試薬貯槽を含む。
【０１０４】
ある例において、試薬貯槽は、ハウジング内に含められる。アクチュエータは、抽出された液体を試薬貯槽に供給するように構成される。
【０１０５】
ある例において、デバイスは、アクチュエータを備える容器と、収容チャンバを含むハウジングとを更に含む。デバイスは、入口を備える内部流路を含むベースを更に含む。容器及びベースは、サンプル調製プロセス中に一緒に組み立てられるように構成される別個の部品として提供される。ベースは、ベースの入口が計量チャンバの出口に面するよう、容器の一部分と相互作用係合するように構成される。ベースは、ひとたびそれらが互いに機能的に係合させられると、アクチュエータとベースとの間の経路を開放するように構成される、部材を更に備える。オプションとして、ベースは、試薬チャンバを含む。
【０１０６】
ベースの入口を流入(inflow)とも呼び、計量チャンバの出口を流出(outflow)とも呼ぶ。
【０１０７】
係合する相互作用状態において、ベース及び容器は、互いに機能的に接続される。
【０１０８】
ある一例において、ベースは、少なくとも１つの処理チャンバ又は検出チャンバを含み、液体は、アクチュエータの作動によって処理チャンバ又は検出チャンバ内に供給される。
【０１０９】
容器をサンプル適用デバイス(sample  application  device)とも呼ぶ。
【０１１０】
あるオプションにおいて、ベースは、試薬チャンバを含む。
【０１１１】
あるオプションにおいて、ベースは、試薬貯槽を含む。
【０１１２】
ある例において、ベースは、分析器と共に使用されるように構成される使い捨て品である。ベースは、分析器に適合される（複数の）インタフェースを備えて構成される（複数の）検出チャンバを含むことがあることで、分析器は、この（複数の）インタフェースを介して、（複数の）検出チャンバ内の液体を分析することができる。
【０１１３】
ある例において、ベースは、カートリッジとして提供され、容器は、サンプル適用デバイスとして提供され、サンプルは、サンプル適用デバイス内で、分析の観点から容器内で次の処理されることができ、且つ／或いは次の処理を準備するために修正されることができる。
【０１１４】
ある例において、ベースは、分析デバイスとの接続のための突出する接続部分を含む。
【０１１５】
ある例において、アクチュエータは、ハウジングに対して移動可能な少なくとも１つのアクチュエータを含み、そして、移動後に、少なくとも１つのアクチュエータは、液体をハウジング内で分析デバイスに向かって流動させる。
【０１１６】
ある例において、ベースは、容器の下方部分と相互作用係合するように構成される。
【０１１７】
ある例において、アクチュエータは、収容チャンバから計量チャンバに液体の少なくとも一部を供給所定量の液体を供給して所定の量の液体を提供するように構成された、計量アクチュエータを含む。あるオプションにおいて、計量アクチュエータは、患者のサンプルを含む液体を収容チャンバから計量チャンバ内に吸引するように構成された、吸引アクチュエータとして提供される。追加な又は代替的なオプションにおいて、計量アクチュエータは、試薬チャンバへの流出を通じて計量チャンバから液体を押し出すように構成された、押圧アクチュエータ(pressing  actuator)としても提供される。
【０１１８】
ある例では、収容チャンバから計量チャンバへの液体の抽出は、計量アクチュエータによって収容チャンバと計量チャンバとの間に負の圧力差を生じさせることによる吸引によって行われ、且つ／或いは
ｉｉ）計量チャンバから試薬チャンバへの抽出された液体の供給は、計量チャンバと流出の下流の領域との間に正の圧力差を生じさせることによる押圧によって行われる。
【０１１９】
ある例において、計量アクチュエータは、計量チャンバを提供するシリンダとして設けられ、シリンダ内にはピストンが配置される。シリンダ及びピストンを互いに対して移動させて計量チャンバの容積を変更することができる。更に、容積を変更することによって、計量チャンバの内側を相対的な陽圧又は陰圧で荷重することができる。
【０１２０】
計量チャンバは、シリンダの側面及び頂面と可動ピストンとによって定められる。
【０１２１】
ある例において、アクチュエータは、第１の手動で加えられる起動力を計量アクチュエータに提供するように構成された、少なくとも１つのレバー部材を含む。少なくとも１つのレバー部材は、ベースが容器と相互作用係合する間に、少なくとも１つのレバー部材が、ベース上のレバー部材の当接に起因してハウジングに対して移動させられるよう、ハウジングをベース上に配置することによって第１の方向においてアクティブ化可能である。あるオプションにおいて、少なくとも１つのレバー部材は、手動力がレバー部材に加えられるときに、計量アクチュエータに第２の起動力を提供するように構成され、第２の起動力は、第１の起動力と反対である。少なくとも１つのレバー部材は、ハウジング及びベースが互いに係合させられる間のハウジング及びベースに対する少なくとも１つのレバー部材の移動によって、第１の方向とは反対の第２の方向においてアクティブ化可能である。
【０１２２】
ある例では、ベースが容器と相互作用係合する間に、ハウジングの一部分がベースの一部分内に収容される。
【０１２３】
第１の力がレバー部材に加えられると、計量チャンバの容積は増大し、第２の力がレバー部材に加えられると、計量チャンバの容積は減少する。第１の力は、計量チャンバ内への液体の抽出、即ち、計量チャンバ内への液体の吸引をもたらし、第２の力は、計量チャンバからの液体の抽出、即ち、計量チャンバからの液体の押出しをもたらす。
【０１２４】
本発明の上記で定められた態様、並びに更なる態様、構成及び利点は、以下に記載される実施形態の例から導き出されることもあり、実施形態の例を参照して説明される。
【０１２５】
本発明は、実施形態の例を参照して以下により詳細に記載されるが、本発明はそれらに限定されない。
【図面の簡単な説明】
【０１２６】
【図１】分子分析のためのシステムの概略的構成を例示している。
【図２】分子分析のためのシステムの部品を示している。
【図３】図２に示すような分子分析のためのシステムの部品の分解組立図である。
【図４】状態Ｂにおける図５に示すシーケンスと対応する第１の条件における分子分析のためのシステムの部品の断面図である。
【図５】図２及び図３に示す分子分析のためのシステムの部品の供給アクチュエータの要素を移動させるシーケンスを例示している。
【図６】分子分析のためのシステムの部品及び状態Ｄにおける図５に示すシーケンスと対応する第２の条件の断面図である。
【図７】図２及び図３に示す分子分析のためのシステムの部品の計量アクチュエータに関する要素を移動するシーケンスを例示している。
【図８Ａ】分析前の患者のサンプルを調製する方法の例の基本的なステップを示している。
【図８Ｂ】ある実施形態に従ったデバイスを使用する方法のステップを例示するフローチャートである。
【図９】第２のアクチュエータの頂端図の斜視図である。
【図１０】第２のアクチュエータの底端図の斜視図である。
【図１１】計量チャンバを生成するために第２のアクチュエータ内に移動可能に指示される接続要素の断面図である。
【図１２Ａ】接続要素の実施形態を示している。
【図１２Ｂ】接続要素の実施形態を示している。
【図１２Ｃ】接続要素の実施形態を示している。
【図１２Ｄ】接続要素の実施形態を示している。
【図１３】アクチュエータによって定められる計量チャンバ内の真空を生成するための図１１に示す接続要素に対する第２のアクチュエータの移動を示している。
【図１４】アクチュエータによって定められる計量チャンバ内の真空を生成するための図１１に示す接続要素に対する第２のアクチュエータの移動を示している。
【図１５】アクチュエータによって定められる計量チャンバ内の真空を生成するための図１１に示す接続要素に対する第２のアクチュエータの移動を示している。
【図１６】液体が計量チャンバ内に吸い込まれるときに計量チャンバと収容チャンバとの間の接続を構築するために貫通穴が整列させられた状態を例示している。
【図１７】計量チャンバから収容容積に液体を供給するステップを例示しており、シールを穿刺することを示している。
【図１８】計量チャンバから収容容積に液体を供給するステップを例示している。
【図１９】計量チャンバから収容容積に液体を供給するステップを例示している。
【図２０】容器を連結することができるベースを詳細に例示している。
【図２１】乱流を生成するデバイスの断面図を例示している。
【発明を実施するための形態】
【０１２７】
図面中の例示は概略的であるに過ぎず、縮尺通りでない。適切であるならば、類似の要素は異なる図において同じ参照符号を備えることが付記される。
【０１２８】
例えば、患者サンプル（試料）を備えるスワブ(swab)を受け取って処理する溶液は、３つの要件、即ち、高い使い易さ、低コスト、及び安全なサンプル封入を満足する。低コストは、可能な限り小さいデバイスによって達成されることができる。スワブの先端だけが患者材料を含むので、先端はステム（茎）から分離されてよい。スワブのステムを除去することは、追加的に、デッドボリュームを最小限に抑えることによってスワブを効率的に濯ぐのに好ましい内部チャンバ容積と液体の比を達成するのに役立つ。スワブのステムの切断は、ナイフのような別個のブレードを使用することによって或いは一体化された切断機構を利用することによって実行されることができる。既存の溶液は、しばしば、追加的な液体移送ステップを必要とし、液体位相ステップの間に、獲得された溶出液は、スワブを含む容器から取り除かれ、それにより、汚染のリスクを増大させる。このリスクを減少させるために、ステムを除去して濯いだ後に、スワブの先端をデバイス内に完全に収めることが提案される。
【０１２９】
結果的に、スワブのステムの切断を含む必須のサンプル調製ステップは、ユーザによって手動で操作されることがある使い捨て可能なサンプル塗布デバイス内に移されてよい。主カートリッジとの組み合わせにおけるサンプル塗布デバイスの創成は、マクロ流体操作とミクロ流体操作とを分離し、それにより、高度の使い易さを提供しながら、サンプル塗布デバイス及びカートリッジの設計をほぼ独立して最適化することを可能にする。
【０１３０】
経験の浅い又は訓練を受けていないユーザが、例えば、鼻スワブを用いて得られた患者サンプルを処理することを、デバイスが可能にすることが、更に提案される。ユーザは、先ず、開口を通じてスワブをデバイス内に挿入してよい。デバイスのハンドルを捻ることによって、ユーザは、先ず、スワブを短くし、次に、少量、約１ミリリットルの容量の溶解緩衝液を放出し、放出した緩衝液中でスワブを濯いでよい。次に、デバイスは、分析デバイス内に予め挿入されていてよいカートリッジと接続されてよい。２つの追加的な作動ステップのみによって、ユーザは、濯ぎ緩衝液をデバイスからカートリッジ内に排出する前に、濯ぎ緩衝液を計量チャンバ内に注入してよい。この最後のステップにおいて、液体はｇＤＮＡフィルタを通過させられ、乾燥磁性粒子と強制的に乱流接触させられてよく、乾燥磁性粒子はひとたび懸濁させられると、サンプル容積からＲＮＡ分子を捕捉する。次に、これらの粒子は、更なる処理を受けるために、磁石によって収集されてよい。
【０１３１】
シリカ粒子への核酸の結合は、粒子の能力(capacity)、即ち、利用可能な表面積によって制限される。結合ステップの間、バックグラウンド及び標的核酸は、競合している。抽出ステップの収率が利用可能な表面積の量によって制限されないことを確実にするために、より多くの粒子を反応に加えることによって利用可能な表面積を増加させるか或いはバックグラウンド物質の量を減少させることが可能である。
【０１３２】
抽出プロセスのために、磁性シリカ粒子の総量は、流体システムの寸法によって制限されることがある。より大きな粒子は、それらが磁場によって作動させられるときに分裂する傾向の故に、制御するのがより困難なことがある。加えて、粒子からの標的の溶出は、粒子が溶出容積のより大きな部分を占めるにつれて効率がより低くなることが示されている。
【０１３３】
代替的に、粒子の量を一定に保つこと及びバックグラウンド種の濃度を減少させることが可能である。ＲＮＡを分析するために細胞から物質を抽出するアッセイにおいて、ゲノムＤＮＡは、ＲＮＡ結合のための利用可能な能力を有意に減少させる主要なバックグラウンド成分である。従って、追加的な結合能力を解放するために、ゲノムＤＮＡを磁性シリカ粒子と混合して結合フェーズを開始する前に、サンプルからゲノムＤＮＡを選択的に除去することが望ましい。
【０１３４】
適切な緩衝液条件（低ｐＨ、高イオン強度）の下でＤＮＡを選択的に結合する一方で、ＲＮＡが通過するのを可能にする、処理済みシリカフィルタを使用することによって、ｇＤＮＡの除去を達成することができる。
これらのフィルタは、将来の分析（例えば、Ｑｉａｇｅｎキット）のためにＤＮＡを抽出するために一般的に使用される。これらの用途において、先ず、ＤＮＡは結合され、次に、フィルタから溶出される。例えば、引き続きのＲＮＡサンプル調製及び検出ステップを改善するために、フィルタを使用してＤＮＡを除去してよい。
【０１３５】
サンプル調製処置のステップを単純化された方法で実施するために手動で操作することができる使い捨て可能なデバイスが提案される。デバイスは、核酸が溶液中で利用可能である患者サンプル（粗溶解物）を受け入れるチャンバを含んでよい。この容積から核酸を効率的に捕捉するために、磁性粒子は、好ましくは、サンプルを通じて均一かつ急速に分散させられる。
【０１３６】
以下の要件のうちの少なくとも一部は、提案されるデバイスによって満足される。粒子は、液体と接触すると急速に溶解する凍結乾燥球体内でデバイス内に貯蔵されることがある。改善された下流処理のために、サンプルが磁性粒子と接触する前に、サンプルを少なくとも１つのフィルタ構造に通過させることができる。組み合わせられたフィルタ構造の流体抵抗は、流体輸送を駆動する圧力差によって克服されることがある。全てのステップは、サンプル汚染又はユーザへの潜在的に有害な曝露のリスクを伴わずに、ほんの僅かのユーザ対話(user  interactions)で実行されることがある。粒子を用いて標的分子を捕捉するために許容される時間は制御されることがある。混合プロセスは、人的エラーを回避するために、ディスポーザブルを手動で攪拌することによって実行されないことが好ましい。デバイスは、更なる下流処理が行われるカートリッジに接続可能であってよい。
【０１３７】
記載した実施形態に従ったこのデバイスは、流体システムを含む単一のデバイスに幾つかの流体ステップを統合し、それらの実行を手動で引き起こすことによって、この一連の要求のうちの少なくとも一部に対処する。デバイスは、サンプルの更なる下流処理のためのミクロ流体システムを含んでよい主カートリッジとの組み合わせにおいて使用されてよい。
【０１３８】
第１の取扱いステップにおいて、デバイスと主カートリッジとの間の流体接続が確立されてよく、計量された量の患者サンプル液体が小さな開口を介してチャンバ内に引き込まれてよい。第２のステップにおいて、チャンバは圧縮されてよく、よって、液体は開口を通じて排出されることがある。生成される圧力は、液体を任意的なフィルタ構造を通過させ且つ流体経路の狭い区画を通過させるのに十分なことがある。狭い区画において、液体は加速され、乾燥粒子の一部を保持し且つサンプルの総容積よりもずっと小さい総容積を有することがある小さなキャビティ内に排出される。高速の液体は、粒子を効果的に攪拌し、それにより、それらの再水和及び分散を助ける。粒子を備えるチャンバを通過した後に、液体は、主カートリッジの第１のチャンバであってもよい収容チャンバ内に再び排出される前に、更なる狭い区画を通じて押されることがある。排出中、流体は、サンプルの全容積に亘って粒子を均一に分散させるような（カオス的）混合を受ける。主カートリッジ内のサンプル混合物の到着は、器具によって検出されることができ、結合プロセスの開始を示す。結合プロセスが終了した後に、器具は、サンプル調製及び検出の後続のステップを自動的に実行してよい。
【０１３９】
ある実施形態に従ったデバイスは、（必要であれば）第１に細長いステムを切断し、第２にチャンバ内でサンプルを封止し、第３に液体又は乾燥試薬を備える貯槽を開き、第４に貯槽からチャンバ内に試薬を放出するために、患者のサンプルを受け取るのに適した、第１の多段機構を含んでよい。デバイスは、試薬と患者のサンプルとを含む液体をデバイスから流体カートリッジ内に排出するための第２の機構を更に含んでよい。
【０１４０】
ある実施形態によれば、デバイスは、機構の意図された位置に所定の不可逆的な順序で到達するよう並びに挿入されたスワブ及び放出された液体がデバイス内に安全に収容されるよう、第１及び／又は第２の機構を手動で操作することによって使用されてよい。
【０１４１】
ステムは鼻又は鼻咽頭スワブの一部分であってよく、スワブ挿入端は患者サンプルを採取するのに適した領域を含むことが理解されよう。その上、内部試薬貯槽は、フレキシブルな（可撓性の）ポーチであってよい。
【０１４２】
図１は、組織サンプルに基づく医師のための分子診断を可能にする分子分析のためのシステムの実施形態の例示である。システムは、容器１００と、カートリッジ２００と、分析デバイス３００とを含む。容器１００は、流体が容器１００からカートリッジ２００に移送されることを可能にするよう、カートリッジ２００の端部分と接続されるように構成されている。カートリッジ２００は、分析デバイス３００内に少なくとも部分的に挿入されるように構成されている。分析デバイス３００内で、液体中にあることがあるサンプルは、サンプルを特徴付ける並びに医師が診断を提供するのを可能にするデータを収集するように処理されてよい。
【０１４３】
図１のシステムを患者のサンプルを分析するためのシステムと呼ぶこともできる。そのようなシステムは、以下に記載する例のうちの１つに従ったデバイスとして提供される、例えば、上述のカートリッジ２００として提供されるベース（基部）を備える同様に上述の容器１００として提供される、サンプル調製デバイスを含む。更に、分析デバイス３００のような、調製デバイスによって提供される液体の少なくとも１つの分析を行うように構成されるサンプル分析デバイスが提供される。
【０１４４】
図２は、分子分析のためのシステムの部分の実施形態をより詳細に示している。容器１００は、容器のグリップ部分と、上方部分と、容器の下方部分を通じて突出する要素とを含む。カートリッジ２００は、容器１００の下方部分がそのシリンダに収容されることを可能にするように、中空シリンダを含む。カートリッジ２００の狭い端は、カートリッジ２００の端から突出する減少させられた幅を有する舌部のように形成されている。そのような舌部は、分析デバイスの内側の構造と接触するように構成されてよい。
【０１４５】
図１は、カートリッジ２００の第１の例２０１を示している。図２には、カートリッジ２００の第２の例２０２が示されてよい。
【０１４６】
図３は、分子分析のためのシステムの部分の分解組立図である。システムは、サンプル調製デバイス及びサンプル分析デバイスを含む。 サンプル分析デバイス３００は、調製デバイスによって提供された液体の少なくとも１つの分析を行うように構成される。しかしながら、サンプル分析デバイスを更に詳細に記載しない。図３は、ハウジング１０、３０を備える容器１００と、以下により詳細に記載するアクチュエータとを含む、サンプル調製デバイスを記載している。ハウジングは、収容チャンバ３２と、（図３には示されていない）試薬貯槽とを含む。収容チャンバは、サンプルを収容するように構成され、試薬貯槽は、試薬を収容するように構成される。アクチュエータは、試薬をサンプルと接触させて、患者のサンプルと試薬とを含む液体を提供するように構成される。アクチュエータは、分析目的のために分析デバイスに液体を供給するように更に構成される。
【０１４７】
ある例において、容器１００と、ベース、即ち、カートリッジ２００とは、サンプル調製プロセス中に一時的に互いに組み立てられるように構成される、別個の部品として提供される。ベースは、ハウジングの下方部分との嵌め合い係合(mating  engagement)のために構成されたインタフェースを含む。ベースは、液体がアクチュエータによって供給される（小さな丸で示された）少なくとも１つの液体収容容積を含む。ベースは、分析デバイスとの接続のための突出接続部分を更に含んでよい。ベースは、カートリッジとして提供され、容器は、サンプル塗布デバイスとして提供される。
【０１４８】
アクチュエータは、試薬貯槽から収容チャンバ内のサンプルに試薬を供給するように構成された、第１のアクチュエータ２０とも呼ぶ供給アクチュエータを含む。供給アクチュエータは、試薬貯槽の容積を減少させ、それにより、試薬を試薬頂層から出して収容チャンバに入らせるように構成される。アクチュエータは、手動で適用される作動力を供給アクチュエータに提供するように構成される２つの把持部材を含む。
【０１４９】
ある例において、第１のアクチュエータ２０は、溶解試薬でサンプルを溶解することを目指している。この溶解試薬は、計量チャンバの下流に添加された試薬とは異なってよい。この下流試薬を、溶解した液体サンプル中に特定の検体を結合するように構成される試薬である「特異試薬(specific  reagent)」と呼ぶこともある。
【０１５０】
試薬は、溶解剤であってよい。
【０１５１】
サンプル塗布デバイスにおけるサンプル調製中に、磁性シリカ粒子を提供してＲＮＡ又はＤＮＡに特異的に結合させてよい。
【０１５２】
アクチュエータは、ハウジングに対して移動可能な少なくとも１つのアクチュエータを含む。移動後、少なくとも１つのアクチュエータは、液体をハウジング内で分析デバイスに向かって流動させる。
【０１５３】
アクチュエータは、所定量の液体を受け入れるように構成された計量チャンバ５２（下記を参照）を更に含む。
【０１５４】
計量チャンバ５２は、（以下の例示的な実施形態において記載するように）アクチュエータの作用によって変更することができる容積を有する。
【０１５５】
アクチュエータは、患者のサンプル及び試薬を含む液体の少なくとも一部分を収容チャンバから計量チャンバに供給して所定の量の液体を供給するように構成された、第２のアクチュエータ５０とも呼ぶ計量アクチュエータも含む。計量アクチュエータは、患者のサンプルを含む液体を収容チャンバから計量チャンバ内に吸引するように構成された、吸引アクチュエータとして提供される。計量アクチュエータは、計量チャンバから検出チャンバに向かう方向に液体を押し出すように構成された、加圧アクチュエータとしても提供される。
【０１５６】
好ましくは、アクチュエータ５０は、アクチュエータ５０が接続要素６０の頂端部分に形成されたピストン部分に対して移動可能であるよう、少なくとも１つのハンドル５０３を備える。図３に例示する例に関して、アクチュエータは、計量チャンバ５２を定める周壁５００上の対向する位置に２つのハンドルを含む。
【０１５７】
ピストンは、計量チャンバ５２が第２のアクチュエータ５０及び接続要素６０の相対的な移動によって調整可能な容積を有する２つの間に定められるように、第２のアクチュエータ５０及び接続要素６０を互いに対して配置することによって設けられる（図１１及び図１２Ａ〜図１２Ｄも参照のこと）。
【０１５８】
意味することは、ピストンの全ストロークが、第１のチャンバから抽出される液体の最大容積を定めるということである。 好ましくは、ピストンは、完全に変位させられて、抽出される容積が少ないことを回避する。何故ならば、このようにして、容積はデバイスが使用される方法によって決定されるのでなく、デバイスの幾何学的形状によって決定されるので、容積はより良好に制御されるからである。
【０１５９】
図示しない実施形態において、アクチュエータ５０の吸引開口５３は、サンプル収集要素を備える不純物を濾過するためのフィルタ要素を追加的に備える。加えて、所定の吸引力が計量チャンバ内に確立されるときに開く弁を吸引開口に組み込むことができる。
【０１６０】
具体的には、ある実施形態に従った容器１００の要素が図２に示されている。主として、容器１００は、第１のハウジング部１０と、第２のハウジング部３０と、第１のアクチュエータ２０と、第２のアクチュエータ５０と、接続要素６０とを含む。
【０１６１】
第１のハウジング部１０は、実質的に円筒形状を有し且つ中空であるキャッピング部品として形成されている。その上、第１のハウジング部１０は、開放側壁を備える部分を含む。第１のハウジング部１０は、第１のハンドルも含む（例えば、図６の参照符号１６を参照）。
【０１６２】
第１のアクチュエータ２０は、実質的に円筒形の部分も含み、その円筒形の部分の外径は、第１のハウジング部１０の直径よりも小さい。その上、第１のアクチュエータ２０は、第２のハンドルを含み、そのハンドルは、その円筒形の部分から外向きに突出して、その円筒形の部分とハンドルとの間に間隙を備える。第１アクチュエータ２０は、第１のアクチュエータ２０の円筒形の部分が第１ハウジング部１０の円筒形の部分によって形成される内部空間内に嵌合するよう、第１ハウジング部１０と組み立てられるように構成される。第１のアクチュエータ２０が第１のハウジング部１０と組み立てられるとき、第１のハウジング部１０の壁は、円筒形の部分と第１のアクチュエータ２０のハンドルとの間の間隙と係合し、アクチュエータのそのハンドルは、第２のハンドルとして表示されることができる。
第１アクチュエータの円筒形の部分は、第２ハウジング部３０の一部分も収容する空間を形成する。
【０１６３】
第２ハウジング部３０は、上方部分と、下方部分とを含む。上方部分は、第１のアクチュエータ２０の円筒形の部分の内径よりも僅かに小さい外径を備える実質的に円筒形であるので、第２のハウジング部３０の上方部分は、第１のアクチュエータ２０内に嵌合する。第２のハウジング部３０は、上方部分と下方部分との間に肩部（ショルダ）又はフランジを形成し、この肩部又はフランジは、第１及び第２のハウジング部及び／又はアクチュエータ２０の間の空間を閉じる、即ち、収容チャンバ３２を含むハウジングの内部空間を閉じる。
【０１６４】
組み立てられた状態において、第１のハウジング部１０、第１のアクチュエータ２０、及び第２のハウジング部３０は、ハウジング部の長手軸の周りで互いに対して回転可能であってよい。例えば、第１のアクチュエータ２０は、スワブステムを切断して収容チャンバを閉塞／封止するよう、第１及び第２のハウジング部１０，３０に対して回転させられてよく、ハウジング部１０，３０は互いに対して静止的であってよい。次に、第１のアクチュエータ２０は、第１の試薬を放出するように、ハウジング部に対して更に回転させられてよい。代替的に、第１のハウジング部１０は、第１の試薬を収容チャンバ内に放出するように、第２のハウジング部３０に対して第１のアクチュエータ２０と一緒に移動させられてよい。
【０１６５】
第２のハウジング部３０の下方部分は、第２のアクチュエータ５０、即ち、計量アクチュエータ、ならびに中間案内要素４０及び接続要素６０を収容するように構成される。第２のアクチュエータ５０は、具体的には、（図６では５２と呼ぶ）中空シリンダと、シリンダから側方に突出するグリップ部とを含む。接続要素６０は、ベースプレートから突出するピンのような要素を含み、このピンのような要素は、第２のアクチュエータ５０の中空シリンダ内に嵌合するように構成される。組み立てられた状態において、第２のアクチュエータ５０は、連結要素６０のピンのような要素の長さに亘ってそのシリンダの向きの方向に移動させられ、第２のハウジング部３０の下方部分内で案内要素４０によって案内される。
【０１６６】
ピンのような要素は、シリンダ内のピストンとして形成される。シリンダ及びピストンは、互いに対して移動可能である。
【０１６７】
図３に示すように、容器１００の異なる部分によって形成される空間又は間隙は、Ｏリングシーリングのような、シーリング要素によって封止される。例えば、第１のシール２１が、第２のハウジング部３０と第１のアクチュエータ２０との間に設けられる。第２のシール３１が、第２のハウジング部３０と案内要素４０との間に設けられる。その上、少なくとも１つの更なるシール５１が、接続要素６０のピンのような要素と第２のアクチュエータ５０との間に、即ち、ピストンとシリンダとの間に設けられる。例えば、２つのＯリングシーリング。
【０１６８】
シール５１は、Ｏリングであり得る。図３及び図１１に示す実施形態において、接続要素６０は、Ｏリング５１を受け入れて支持する少なくとも１つの周溝６４を含む。図示の実施形態では、２つのＯリング及び２つの凹部６４を設けて、より良好なシーリングを保証し、計量された液体が接続要素６０の受入れ開口６８内に設けられるフィルタ６３を介して計量チャンバに入ることを保証する。他の実施形態では、計量チャンバの周壁を取り囲む少なくとも１つのシーリングリップによってシールを提供することができる。
【０１６９】
図３に更に示されているのは、インタフェース要素７０と、底板８０とを備える、カートリッジ２００の実施形態である。インタフェース要素７０は、第２ハウジング部３０の下方部分と係合するように構成され、シリンダのような構造７０３が、第２のハウジング部３０の下方部分にあるスロットに対応する側方スロット７０１を有するので（図２０を参照）、第２のアクチュエータ５０の把持部分は、インタフェース要素７０のスロットを通じて突出する。インタフェース要素７０は、接続要素６０と係合するように構成され、シール、例えば、接続要素６０内に設けられる穿刺可能な膜を穿刺するように構成される、穿刺要素７１を更に含み、容器１００から出てカートリッジ２００に入る流体流を可能にする。底板８０は、分析デバイスとカートリッジ２００との適切な接続を可能にする舌部８１を含む。
【０１７０】
図４は、ある実施形態に従った組み立てられた容器の断面図である。容器は、第１のハウジング部１０と、第１のアクチュエータ２０と、第２のハウジング部３０と、第２のアクチュエータ５０とを含む。容器が実質的に円筒形であることを念頭に置いて、スワブ４００が、収容チャンバを形成する中央部分に多かれ少なかれ配置される。そのスワブの他に、第１の試薬貯槽２４が視覚化されており、その第１の試薬貯槽は、例えば、液体試薬２５で充填された閉じた弾性バッグであってよい。図４は、容器の使用方法のほぼ最初の状態の容器を示していることに留意のこと。実際には、スワブのステムだけが切断されており、場合によっては、収容チャンバは、その段階では閉じられていることがある。
【０１７１】
図５は、第１のアクチュエータ２０の作動を例示するシーケンスＡ、Ｂ、Ｃ及びＤを示している。シーケンス中の例示の比較から分かるように、アクチュエータ２０のハンドル２２は、ハウジング部１０の円周に沿って移動する。使用の容易さのために、ハウジング部１０は、ハンドル１６も含む。最初、例示Ａの位置において、ハンドル２２は、ハンドル１６から円周の約４分の１離れている。この段階では、第１のハウジング部１０の頂部にある収容開口１４及び切断開口１５は開いており、例えば、サンプル収集要素としてのスワブを用いて、患者のサンプルの導入を可能にする。スワブが容器内に、即ち、容器の収容チャンバ内に配置されやいなや、アクチュエータは、図５中の矢印によって示されるように第１のハウジング部１０の円周に沿って移動させられ、先ず、切断開口１５を閉じ（例示Ｂ）、次に、収容開口１４を閉塞する（例示Ｃ）。例示Ｄの最終位置では、両方のハンドルが互いに接近して配置され、その結果、収容チャンバは、完全に閉じられている。図５の例示Ｄの状態において、第１の試薬は、図６に示すように、第１の試薬貯槽から既に放出されていることがある。
【０１７２】
図６は、図４とは異なる状態における、その上、図４とは別の側から見た、容器の断面図である。図６において、第１のアクチュエータは、容器の垂直軸の周りで既に回転させられている。よって、第１の試薬２５は、もはや第１の試薬貯槽になく、実質的に収容チャンバ３２の底にある。第１の試薬を放出するための供給要素２３の実施形態が図３に示されている。供給要素２３は、アクチュエータ２０によって一体的に形成された壁部分を含み、供給要素２３は、アクチュエータの移動後に第１の試薬貯槽を圧搾することによって第１の試薬貯槽から第１の試薬を抽出するのに適している。スワブ４００は、患者のサンプルが更なる処理のために液体中に溶解されるよう、液体試薬で濯がれてよい。さもなければ、液体の患者のサンプルは、乾燥した第１の試薬と混合されてよい。両方の場合において、液体は、患者のサンプルならびに第１の試薬を含む収容チャンバ内にあり、結果として得られる液体は、第２のアクチュエータの計量チャンバ内に吸い込まれることができる。
【０１７３】
更なる機能性として、供給要素２３は、第１の試薬が第１の試薬貯槽から抽出されるまで、第２のアクチュエータ５０の上向きの移動を阻止してよい。デバイスが組み立てられた状態にあるときに、供給要素の底壁又は表面が第２のアクチュエータ５０の計量チャンバ５２の頂面に近接近したレベルで配置されることができるよう、供給要素２３は、アクチュエータ（及びハウジング）の長手方向において第１のアクチュエータ２０の本体を通じて延びてよい。供給要素２３は、ハウジングに対する第１のアクチュエータの移動後に計量チャンバ５２の頂面のすぐ上で枢動するので、供給要素の底壁は、第２のアクチュエータの上向きの移動を阻止する。更に、底壁は、第１のアクチュエータの移動が少なくともほぼ完了するやいなや、即ち、第１のアクチュエータの移動の少なくとも８０％が完了するやいなや、底壁が計量チャンバの頂面から離れる方向に側方に枢動するような、寸法とされてよい。
【０１７４】
図６に更に例示されているのは、シール２１及びシール５１である。シール２１は、収容チャンバを封止するよう、第２のハウジング部３０と第１のアクチュエータ２０との間に配置されている。シール５１は、接続要素６０（ピストン）と第２のアクチュエータ５０（シリンダ）との間に配置されている。
【０１７５】
故に、ピストンは、その位置を維持するように配置されるのに対し、シリンダは、可動部分として配置される。よって、シリンダに対するピストンの相対的な動きは、シリンダを移動させることによってもたらされる。
【０１７６】
具体的には、シール５１は、接続要素６０のピンのような要素６２の上方部分にあるそれぞれの溝に配置されるので、これらのシールは、所定の場所に固定される。他の側では、計量チャンバ５２を形成する第２のアクチュエータ５０の円筒形部分は、ピン６２に沿って上向きに収容チャンバ３２内に移動可能である。よって、アクチュエータ５０が上向きに移動させられると、計量チャンバは、シール５１の上に増大した空間をもたらして、少なくとも計量チャンバ５２内の減圧、好ましくは、真空を形成する。そのような真空は、収容チャンバ内の液体を（第１のオリフィスとも呼ぶ）側部開口５３を通じて計量チャンバ内に吸い込ませる。ある例において、開口は、計量チャンバ５２の下方区画に設けられる。
【０１７７】
ある例において、計量チャンバの容積Ｖ２がひとたび増大して、アンダープレッシャー(underpressure)が増大させられると、計量チャンバと収容チャンバとの間の接続が提供される。
【０１７８】
また、第２のオリフィス６８が設けられ、第２のオリフィス６８を通じて、抽出された液体がベース／カートリッジ２００内の（小さな丸で示す）液体収容容積に供給される。第２のオリフィス６８は、接続要素６０、即ち、ピストン内に配置され、ベースの開口部材によって少なくとも部分的に開放される開閉可能な閉塞デバイスで覆われることで、ひとたび液体が計量チャンバ内に抽出され、液体を第２のオリフィスを通じて計量チャンバから押し出すために計量アクチュエータが下向きに作動されると、第２のオリフィス６８は、ベースの液体収容容積と連通する。上記のように、閉塞デバイスは穿刺可能な膜として提供され、開口は穿刺部材として提供される。
【０１７９】
膜の開口は、穿刺要素によって生成されるのが好ましい。他の実施形態において、開口は恒久的であり得る。開口が永久的であるときには、弁が設けられるのが好ましい。
【０１８０】
両方の場合において、開口は、計量チャンバの出口／流出口とベースの入口／流入口との間に配置される。
【０１８１】
ベースは、ベース開口から液体収容容積まで延びる流路を備える。ベース開口は、接続要素６０の第２のオリフィスと共にしっかりと位置付けられる。好ましくは、穿刺可能な膜が第２のオリフィスに設けられ、ベースが前記流路と連通する中空の穿刺部材を備えることで、穿刺可能な膜がひとたび穿孔されると、前記液体は計量チャンバ５２からベースに移送される。好ましくは、穿刺要素７１は、接続要素をベースに嵌合する(mate)ためにベース内に配置される嵌合部材(mating  member)の頂部に設けられる。
【０１８２】
図７は、第２のアクチュエータ５０の作動を例示するシーケンスＡ、Ｂ及びＣを示している。液体２５を備える収容チャンバに対する第２のアクチュエータの状態は、図６に例示する状態と同等である。第２のアクチュエータ５０は、開始位置にある。次に、アクチュエータ５０は、流体２５が収容チャンバからアクチュエータ５０の計量チャンバに吸い込まれるよう、側方開口５３が収容チャンバに達するまで、上向きに、即ち、図７の例示Ｂ中の矢印Ｍ１の方向に移動させられる。続いて、アクチュエータは、図７の例示Ｃ中の矢印Ｍ２によって示すように、下向きに移動させられることができる。その下向きの移動によって、液体は、ピン６２を通じて、下流の液体収容容積、例えば、試薬貯槽に向かう方向に、そして、その液体収容容積又は試薬貯槽から、通路８３(channel)を通じて、液体の分析のための検出チャンバまで押される。検出チャンバ８４は、分析デバイス３００内に配置されてよい。
【０１８３】
図８Ａは、分析前に患者のサンプルを調製するための方法Ｍのある例の基本的なステップを示しており、以下のステップを含む。
ａ）試薬を提供して（Ｓ９９）、試薬を試薬貯槽内に挿入するステップと、収容チャンバ内のサンプル収集要素又は患者のサンプルの少なくとも一部分を受け取るステップであって、患者のサンプルはサンプル収集要素の一部分の上にある、ステップ、
ｂ）デバイスのハウジングを閉じるステップ（Ｓ９８）、及び
ｃ）患者のサンプルを少なくとも部分的に試薬と混合するように、試薬を患者のサンプルに供給するステップ（Ｓ９７）。
【０１８４】
図８は、上述のようなデバイスを使用する原理を例示するフローチャートである。実行される方法に関して記載されるステップは、主要なステップであり、これらの主要なステップは区別されるか或いは幾つかのサブステップに分割される場合があることが理解されるであろう。その上、これらの主要ステップの間にサブステップがある場合もある。あるサブステップは、そのステップが方法の原理を理解するために重要である場合にのみ述べられる。
【０１８５】
上述のような容器を使用する方法は、液体の又は乾燥した第１の試薬を提供するステップ（Ｓ１）及び第１の試薬を第１の試薬貯槽内に挿入するステップ（Ｓ２）と、患者のサンプル又はそのようなサンプルを備えるサンプル収集要素の少なくとも部分を収容チャンバ内で受け取るステップ（Ｓ３）と、収容チャンバから突出するサンプル収集要素の部分を切断するステップ（Ｓ４）と、デバイスのハウジングを閉じるステップ（Ｓ５）と、収容チャンバを封止するステップ（Ｓ６）と、患者のサンプルを少なくとも部分的にサンプル収集要素から取り除くために（Ｓ８）、並びに、患者のサンプルを第１の試薬と混合するために（Ｓ９）、可能であればサンプル収集要素で第１の試薬を患者のサンプルに供給するステップ（Ｓ７）とを含んでよい。例えば、サンプル収集要素が収容チャンバ内に完全に嵌合するのに十分な程に短いときには、ステップＳ４は省略されてよいことに留意のこと。他方、第１のアクチュエータは、ステップＳ５及びＳ６が同時に実行されることがあるように構成されてよい。更に、サンプルを液体中で溶解することによって患者のサンプルをサンプル収集要素から取り除いてよい、即ち、ステップＳ９がステップＳ８を引き起こす場合があることが理解されるであろう。特に、ステップＳ４乃至Ｓ９の全ては、第１のアクチュエータの１回の移動によって実行されてよいことに留意のこと。液体患者サンプルの場合、第１の試薬は、乾燥試薬であってさえよい。
【０１８６】
以下の方法ステップは、患者のサンプルを含む液体がハウジングの収容チャンバ内に既に収容されているという状態から開始して、即ち、ステップＳ９から開始して、第２のアクチュエータの作動によって実行されてよい。方法は、収容チャンバから所定の量の液体を抽出するステップ（Ｓ１０）と、計量された液体を試薬貯槽に供給するステップ（Ｓ１１）と、液体を試薬貯槽に収容される試薬と混ぜるステップ（Ｓ１２）と、
液体の乱流を生成するステップ（Ｓ１３）とを含んでよい。乱流は、流体を加速させる減少した通路直径によって並びに／或いは流路内に縁を設けることによって生成されてよい。
【０１８７】
図９は、第２のアクチュエータ５００の頂端の斜視図を例示している。
【０１８８】
図１０は、第２のアクチュエータの底面を斜視図で示している。図３から導き出すことができるように。図９及び図１０から導き出し得るように、第２のアクチュエータは、２つのハンドル又はグリップ部分５０３を含む。ハンドル５０３は、リング形状の要素及びバーを介して接続され、シリンダ５００の外面でリング形状の要素から突出している。シリンダ５００は、閉じた頂端５０１と、開いた底端５０３とを含む。開いた底端に隣接して、シリンダ５００の内部容積と流体連通する吸引開口５３が形成されている。
【０１８９】
図１１は、計量チャンバ５２を生成するために第２のアクチュエータ内に移動可能に支持される接続要素の断面図を例示している。接続要素６０は、液体を受け入れて液体をベースの試薬貯槽８２に更に送達するために液体をオリフィス６６に対する小さなチューブ開口６８に至らせるための収容開口６８を含む、ピストン６００として機能する。ある例において、ピストン部分６２は、第２のアクチュエータ５０の計量チャンバ５２の内壁に対してピストン部分を封止するシール５１を備える。
【０１９０】
その上、収容開口６８で、抽出される液体の幾つかの要素を濾過するためにフィルタ要素６３を設け、フィルタ構成要素を収容チャンバ３２と計量チャンバとの間の液路内に設ける。
【０１９１】
収容開口６８を、例えば、図１１及び図１２Ｃの断面図に示すような、漏斗のように形成することができる。フィルタ要素は、任意的であるに過ぎない。図１２Ａ乃至図１２Ｄには、接続要素６０の異なる実施形態が示されており、各接続要素６０は、図１１の異なる構成を有し、図１２Ｄには、ピストン部分６９のような最小の構成を有する接続要素６０の実施形態が示されている。穿刺可能な膜６１、及び液体をベースの試薬貯槽８２に送達するための第２のオリフィス６６に至る小さなチューブ６５。例えば、図１２Ｃによれば、ピストン部分６９の小さなチューブ６５は、一端にシーリング６１を備え、計量チャンバ内で生成される真空を維持するために他端にフィルタ６３を備える。
【０１９２】
図１１を再び参照すると、フィルタ要素６３の下には、フィルタ要素６３を支持するためのスポークホイール（図示せず）のように形成されることができる支持構造がある。支持要素の下には、小さなチューブ６５に至る漏斗６８がある。小さなチューブは、その下端部分に膜６１を含み、その膜６１は、ステッカとして小さなチューブ６５の開口の上に置かれる。この膜６１は、真空が生成されるときに内部シリンダ５００を封止する機能を有する。膜６１は、シリンダ５００の計量チャンバ５２内に貯蔵される液体を排出するために損傷が与えられるか或いは穿刺されなければならない。好ましくは、これは、例えば、図１６乃至図１９及び図２０に示される、カニューレ７２のような中空針の助けを受けて行われる。ピストン部分６９は、内部シリンダとして形成され、フィルタ要素６３を備え、液体が下方に送達されるために通過しなければならないフィルタ要素６３を備える。
【０１９３】
図１１の接続部分６０のピストン部分６９は、閉塞貫通穴６５(blocked  through  hole)を有し、閉塞貫通穴６５は、計量チャンバ５２内に構築されるべき真空を維持するために気密シーリング６１によって塞がれる(blocked)。シーリング６１は、針又はカニューレ７２によって穿刺することができる穿刺可能な流体密な膜であることができる。収容チャンバ内に集められる流体を排出するために、穿刺可能な膜をカニューレ７２によって穿刺して収容チャンバ内に開口７００を生成することができる。
【０１９４】
ここで、接続要素６０の異なる実施形態を断面図で示す図１２Ａ乃至図１２Ｄを参照すると、図１２Ａは、接続要素６０の異なる実施形態を断面図で示している。図１２Ａは、膜６１のような、幾つかの関連する構成を含む、接続要素の実施形態を示しており、膜６１は、真空及び／又は液体が小さなチューブ６５を通じて漏れるのが遮断されることできるが、小さなチューブのシールが破壊されて、液体が小さなチューブ６５を通じて排出されることができるよう、膜に開口を創成するためにカニューレによって穿刺可能又は破壊可能でもあるよう、液密でなければならない。図１２Ａ乃至図１２Ｃは、接続要素６０の更なる実施形態を示しており、更なる構成要素が、図１２Ｄに示す接続要素の実施形態に追加されている。
【０１９５】
図示しない実施形態において、穿刺可能な膜６１は、必要なときに小さなチューブ６５を封止し、液体が小さなチューブを通じて排出されるべきときに開かれる、制御可能な弁と置換されている。弁は、信号を介して或いはカニューレを介して機械的に作動させられることができる。
【０１９６】
好ましくは、図１７及び図１８に示すように、カニューレ７２は、流体がカニューレを介してカートリッジ２００の試薬貯槽８２に送達されるよう、膜６１内の又は膜６１を通じる計量チャンバの排出中に留まり且つ延びる。他の実施形態において、シーリングは、信号を介して又はカニューレを介して機械的に作動させられることができる弁であることができる。計量チャンバは、先ず、カニューレの先端が穿刺可能な膜を通じて穿刺するよう、穿刺可能な膜を穿刺することによって排出される。次に、計量チャンバ内の流体は、好ましくは、接続要素６０内に設けられる或いは他の実施形態ではベース内に直接的に設けられるフィルタ６３を通じて漏れることができる。フィルタ６３を設けることができるが、他の実施形態では、使用されるサンプル及び／又は試薬に依存してフィルタを省略することができる。
【０１９７】
ここで計量チャンバ内の真空の生成を概略的に示す図１３乃至図１５を参照する。これを達成するために、好ましくは、第２のアクチュエータ５０は、接続要素６０に対して移動させられる。図１３は、接続要素６０が第２のアクチュエータ５０の中空シリンダ内に挿入されるときの開始位置を例示している。図１４は、第２のアクチュエータがピストン部分６９から離れる方向に部分的に移動させられ、真空が接続要素６０のピストン部分６９と第２のアクチュエータ２０の閉じた頂端部分との間に生成されるときの、中間位置を例示している。図１５は、第２のアクチュエータ５０の可逆端位置と、液体が計量チャンバ５２に吸引されるきに計量チャンバ５２と収容チャンバ３２との間の接続を構築するよう貫通穴が整列されるときの状態とを例示している。
【０１９８】
図９、図１０、図１１及び図１３乃至図１５を参照すると、計量アクチュエータ５０は、閉じた頂端５０１と開いた底端５０２とを備える計量管腔５２を定める、円筒体５００を含む。その上、円筒体５００は、円筒体５００の横方向側壁において開いた底端５０２に隣接して、吸引開口５３を含む。吸引開口５３の軸は、円筒体５００の閉じた頂端５０１と開いた底端５０２との間の延長軸に対して実質的に垂直である。開いた端５０１は、ピストン６００を収容するためにあり、それは円筒本５００の管腔内で液密に移動させられることができる。円筒本５００は、ピストン６００に対して相対的に移動可能である。好ましくは、円筒体５００は移動させられ、ピストン６００は静止的なままである。
【０１９９】
円筒体５００及びピストン６００が互いに対して移動させられると、減圧、好ましくは、真空が（負圧）が生成される。何故ならば、円筒体５００の閉じた頂端５０１と閉じた頂端５０１に面するピストン６００のピストン部分６９との間の容積が減少するからである。円筒体５００及び／又はピストン６００は、円筒体５００の頂端部分５０１及びピストン部分６９の端部分が互いに対して閉じられ（開始位置）、吸引開口が遮断される、図１３に示す開始位置又は上死点と、円筒体５００の頂端部分及びピストン部分６９が互いに対して離間して、液体サンプルが円筒体５００の管腔５２内に吸引されることができるよう、吸引開口５３が遮断されない、図１５に示す端位置又は下死点との間で、移動可能である。
【０２００】
システムの例示的な実施形態によれば、計量チャンバ内への収容チャンバの液体を計量するために、以下の方法ステップを実行することができる。
−  液体の又は乾燥した第１の試薬２５（ＳＩ）を提供するステップ、
−  第１の試薬２５を第１の試薬貯槽２４に挿入するステップ（ＳＩＩ）、及び
−  スワブ４００を収容開口１４に挿入するステップ（ＳＩＩＩ）。
【０２０１】
更なる例では、
−  第１及び第２のハンドル１６，２２を、特に、例えば、図５に示すように、デバイスを片手で保持して取り扱うために回転運動において、互いに向かって移動させるステップが提供される。しかしながら、その移動は、線形の、湾曲した移動のような、並進運動として実行されることもことができる。
【０２０２】
更なる必ずしも必要でないサブステップｉ）乃至ｉｉｉ）において、綿スワブが木製又はプラスチックのロッドを含むとき、
ｉ）特にロッドが収容開口から突出するときに、ロッドは切断されることができ或いは切断されなければならず、
ｉｉ）次に、ロッドが切断されたときに、収容チャンバ３２を閉じられることができる。
【０２０３】
殆どの綿スワブは、所定の破断点を備える。しかしながら、通常、ロッドは、しばしば長すぎ、且つ／或いは、所定の破断点は、デバイスの閉塞要素に対して間違った位置にある、即ち、所定の破断点は、デバイスの閉塞要素の位置としてはより低いか或いはより高い。その場合、ロッドが切断されなければならないことが必要であり得る。本発明に従ったデバイスは、その全体的にコンパクトな収容チャンバの故に、従来的な綿スワブと比較して極めて小さい寸法を有する。よって、綿スワブの切断が必要なことがある。
【０２０４】
しかしながら、本発明に従ったデバイスによれば、サンプルを採取するための他のデバイスを使用することができ、それらは湿地(swamp)のような収容チャンバ３２によって定められる容積内に並びに開口１４内に適合する。その場合、サンプルの切断は必要でなく、よって、切断ステップは必須でなく、常に必要である。
【０２０５】
収容開口１４が閉じられるとき、２つのハンドルは、例えば、図５に示すようにステップＡからステップＢに、互いに接触させられ、ステップＤにおいて、収容開口３２の望ましくない再開放を省くためにクランプ機構を用いて互いにクランプされることができる。
【０２０６】
ハンドル１６、２２の移動のステップＣからステップＤにおいて、収容チャンバ３２内の関連する並進的又は回転的な変位は、小さな隙間が閉じられるように起こる。この小さな隙間には、液体又は液体形態の試薬２５のバッグがある。液体のバッグは開かれ、最後の変位によって圧搾される。
【０２０７】
よって、第３のステップは、
ｉｉｉ）提供される液体を放出するステップ（ＳＩＶ）である。
【０２０８】
流体が綿スワブ４００と接触し、例えば、綿スワブ４００に含まれるウイルス又はウイルス粒子を吸収するとき、例えば、分析デバイスにおける更なる分析ステップのために、吸収されたウイルス又はウイルス粒子と共に所定の正確な容積の液体を放出することが、本発明の目的である。
【０２０９】
これを達成するために、閉じられたハンドル１６，２２を備える容器１００をカートリッジ８０のインタフェース要素７０上に取り付ける／スナップ留めする（ＳＶ）。容器をカートリッジ上に取り付ける／スナップ留めすることによって、流体を容積内に吸い込むための容積内に負圧を生成することができる。
【０２１０】
これを達成するために、図１３乃至図１５に示すように、第２のアクチュエータ５０の外側シリンダ５００をピストン６００に対して移動させる（ＳＶＩ）。
【０２１１】
図１１に示すピストン６００は、外側シリンダ６００内に配置される内側シリンダ６０１として形成されることができる。第１のシール５１（Ｏリング）が、外側シリンダ５００と内側シリンダ６０１との間に配置される。第２のシール３１（Ｏリング）が、外側シリンダ５００と液体を貯蔵する領域との間に位置付けられる。オリフィス５３が、外側シリンダ５００の下方端部分に設けられ、このオリフィスは、最初は封止されない。ピストンは、内部シリンダとして形成され、液体が下向きに送達されるために通過しなければならないフィルタ要素を備える。
【０２１２】
外側シリンダ６００が図１３に示す開始位置から綿スワブが挿入される方向に向かって上向きに移動させられると、同時に、オリフィス５３は、図１４に示すように上方に移動させられる。
【０２１３】
収容チャンバ３２の上方端で、オリフィス５３は、図示の実施形態では２つのＯリングである、内側シリンダの第１のシール５１を通過する。然る後、２つのＯリング５１を通過したときに、オリフィス５３は、外側シリンダ５００と内側シリンダ６０１との間に創成される生成される容積と接触し、図１５に示すように、収容チャンバ内の流体２５と接触する。生成される容積によって、真空が生成され、真空によって、図１５の点線矢印によって示すように、液体が内側シリンダ６０１及び外側シリンダ５００の容積内に吸い込まれる。
【０２１４】
外側シリンダ５００を移動させることによって、液体が吸引される容積が創成される。
【０２１５】
真空を生成するために、内側シリンダ６０１は、カートリッジ２０２の基本モジュールのインタフェース要素７０のリム７０２に取り付けられた横方向アーム５０３を備える。手動容器１００を下向きに移動させることによって、アーム５０３は、手動容器に対して上向きに移動させられる。なぜならば、アームは、リム７０２上に留まり、容器は、容器１００の下方の第２のハウジング部３０の外形寸法と相補的に形成される円筒形の収容溝内に押し下げられるからである。
【０２１６】
更なる例では、分析前に患者のサンプルを計量するデバイスの容器１００が提供される。容器１００は、サンプルの液体２５を収容する収容チャンバ３２と、周壁５００によって接続される閉塞頂端５０１及び開放底端５０２の両方によって定められる流体サンプル２５を計量する円筒形の計量チャンバ５２を含むアクチュエータ５０とを含む。
【０２１７】
周壁内の頂端５０１と底端５０２との間には吸引開口５３が設けられ、それは収容チャンバ３２及びアクチュエータ５０の計量チャンバ５２との流体接続を可能にする。接続要素６０は、シーリング６１によって閉じられる貫通穴６５を備えるピストン部分６９を含む。
【０２１８】
ピストン部分６９は、吸引開口が塞がれてピストン部分が閉じられた端に隣接する下死点と、吸引開口が塞がれないで収容チャンバと流体連通させられる上死点との間で、アクチュエータ５０の計量チャンバ５２内に移動可能に支持される。
【０２１９】
開口５３が収容チャンバと流体接続して移動させられるときに、収容チャンバ３２内に貯蔵される液体を計量チャンバ内に吸い込むことができるよう、ピストン部分６９及び計量チャンバ５２を上死位置から下死位置に互いに対して移動させるときに、閉塞頂端とピストン部分との間で増大する容積と真空負圧とが生成される。
【０２２０】
ここで図２０を参照すると、図２０は、上述のステップＳ１乃至ＳＶＩを実行するために容器を連結することができるベースを詳細に示している。
【０２２１】
図２０において、インタフェース要素７０は、斜視図で示されており、穿刺要素７１のカニューレ７２は、その伸張位置にある。伸張位置において、カニューレ７２の先端は、接続要素６０の穿刺可能な膜６１を少なくとも穿刺するよう穿刺要素７１の円筒体から突出する。
【０２２２】
ある例において、容器１００、特にアクチュエータ５０のハンドル５０１は、インタフェース要素７０の外側リム７０４上に係合可能であり、容器のハウジングの下方部は、ベースのインタフェース要素７０２の収容溝７０２内に少なくとも部分的に係入されることができる。
【０２２３】
穿刺可能な膜６１は、第２のアクチュエータが端位置にあるときに、計量チャンバ５２の管腔内に生成される真空を封止するように構成される。穿刺可能な膜６１は、計量チャンバ内に吸引される液体を放出するためにカニューレによって穿刺可能である。カニューレ又は針は、カートリッジの一部であり、カニューレの先端が穿刺要素７１内に設けられる後退位置と、カニューレ７２の先端が穿刺可能な膜を穿刺するために穿刺要素から突出する伸張位置との間で移動可能である。図２０においては、カニューレ７２は、穿刺可能な膜６１を穿刺するための伸張位置で示されている。
【０２２４】
図１６乃至図１９は、計量チャンバから、例えば、ベースの第２の試薬貯槽８２のような収容容積に、液体を供給するステップを例示している。図１６乃至図１９に示す次のステップは、分析ステップのために使用されるカートリッジ又はキャリア２０２に液体を送達する目的を有する。
【０２２５】
図１６は、第２のアクチュエータ５０を示しており、第２のアクチュエータ５０は、収容チャンバ３２の流体が、接続部分のピストン部分６９及び第２のアクチュエータのシリンダの内部管腔によって定められる計量チャンバ５２内に吸い込まれる、その端位置にある。更に、第２のアクチュエータ５０とそのピストン部分を備える接続要素６０とを含む容器１０は、容器１０の第２の下方ハウジング部３０が収容溝７０２内に少なくとも部分的に挿入され、カートリッジ２００の穿刺要素７１が接続要素６０内に挿入されるように、インタフェース要素７０と結合され、第２のアクチュエータ５０のハンドル５０３は、収容溝７０２の上に留まり、インタフェース要素７０のリム７０２上に係合させられる。
【０２２６】
接続要素６０は、穿刺可能な部材を穿刺するために穿刺要素７１を挿入可能である内部シリンダ６０１を含む。
【０２２７】
好ましくは、アクチュエータ、特にハンドルが開始位置にあるときに、即ち、容器の収容チャンバ３２内に試薬液２５があるときに、容器１００は、収容溝７２内に挿入されるが、内容物は、アクチュエータの計量チャンバ内に未だ設けられない。
【０２２８】
容器は、その下方の第２のハウジング部３０と共に収容溝７２に挿入されるが、アクチュエータ５０のハンドルは、インタフェース要素７０の周壁のリム７０４上に係合される。次に、容器１００は、下方の第２のハウジング部が収容溝７０２内に挿入されるが、ハンドル５０３は外側リム７０２上に留まるように、押し下げられる。ハンドル５０３は、アクチュエータ５０が接続要素６２のピストン部分６９に対して移動させられて、負圧及び増大した容積を生成して、計量チャンバを形成するように、アクチュエータ５０を作動させる。吸引開口が収容チャンバと整列させられるとき、液体分は、計量チャンバ内で生成される真空の故に、計量チャンバ５２内に吸い込まれる。
【０２２９】
膜６１は、計量チャンバ５２内に収容される計量された液体を排出するために損傷を与えられるか或いは穿刺されなければならない。好ましくは、これはカニューレ７２のような中空針の助けを借りて行われる。図１６において、カニューレは、穿刺先端が穿刺可能な膜６１に損傷を与えることができないように、安全な後退させられた位置において示されている。
【０２３０】
膜６１の穿刺は、真空が生成された後に行われ、液体は、計量チャンバ５２内に収集され、容器は、ベースに取り付けられる。膜６１が穿刺される前に、手動容器１００及びベースモジュールは、上述のようにベースの穿刺要素７１を接続要素６２に挿入することによって、互いに対してロックされる。この状態は、第２のアクチュエータのハンドル５０１及び接続要素６０のベースプレート６７を除いて、図１６に部分的に示されている。中空針又はカニューレ７２は隠れており、怪我及び汚染のリスクを省くよう、穿刺要素７１のシリンダ内に固定される。シリンダは、接続要素６０の内部シリンダ６０１を受け入れるように寸法取られる。
【０２３１】
アクチュエータ５０がその開始位置に戻される前に、カニューレ７２は、例えば、図１７に示すように、穿刺可能な膜６１を穿刺するために作動させられる。カニューレ７２は、その引き出された位置において図１７に示されている。アクチュエータ５０を図１９に示す開始位置において下向きに移動させるために、アーム５０３は、アクチュエータ５０を下向きに移動させることができるように、横方向凹部７０１内に挿入されなければならない。
【０２３２】
手動モジュール１００をベースモジュールの周りで約２０°だけ回転させることによって、横方向アーム５０３は、それらが、重力及び手動操作の助けを借りて或いは任意的にバネの力によって、これらの凹部７０１内で下向きに移動させられるよう、上方リム７０２から横方向凹部７０１に移動させられるように、同時に回転させられる。上部リム７０２の上面は傾斜を含むので、アーム５０３の、従って、外側シリンダ５００の第１の下向き設定が行われる。好ましくは、この最初の下向きの設定の間に、膜６１は、中空針７２によって穿刺される。
【０２３３】
図１７に示すステップにおいて、外側シリンダ５００は、生成される容積内の液体の計量された容積Ｖ２を空にするために、下向きに移動させられる。オリフィス５３がＯリング３１を通過すると、最初は液体の僅かの部分が収容チャンバ３２に押し戻される。
【０２３４】
アーム５０３を凹部７０１内で下向きに移動させることによって、計量された容積Ｖ２は排出され、カートリッジに、特に第２の試薬貯槽８２に、或いは他のデバイスの液体収容容積に送達される。任意的に、試薬及びサンプルの混合を改善するためにカートリッジに送達されるときに計量された容積Ｖ２内に乱流を生成するデバイスがある。乱流を生成するデバイスを小さなチューブ内に或いは接続部分の第２のオリフィスに或いは第２の試薬貯槽８２の入口に設けることができる。
【０２３５】
更なる例では、上述のような容器１００を使用する方法が提供される。この方法は、以下のステップ、即ち、
容器のハウジング１０の収容チャンバ３２内に試薬及び／又は液体を供給するステップと、
サンプル収集要素４００をデバイスの収容開口１４に挿入するステップと、
収容開口１を閉じるために第１のハンドル１６及び第２のハンドル２２を互いに対して移動させることによって第１のハンドル１６及び第２のハンドル２２を含む第１のアクチュエータ２０を作動させるステップであって、相対的な移動は、第１の試薬貯槽内に貯蔵される試薬をサンプル収集要素４００と接触させる、ステップと、
ある容積を生成する第２のアクチュエータ５０の作動によって、収容チャンバから計量チャンバ内に所定の量の液体を抽出するステップと、
その容積を減少させることによって、第２のアクチュエータを作動させることによって計量チャンバ内の所定の量を、例えば、カートリッジの液体収容容積に抽出するステップとを含む。
【０２３６】
更なる例において、方法は、容器１００の切断開口１５内の切断要素による収容開口１４の閉塞中にサンプル収集要素４００のバー（棒）又はステム（茎）を切断するステップを更に含む。
【０２３７】
サンプル収集要素４００は、例えば、バーを備える綿スワブであることができる。バーが長すぎて、デバイスの収容開口から突出するときに、切断要素によってバーを切断することができる。しかしながら、幾つかの綿スワブは、所定の制動点を含む。この方法は、任意的である。何故ならば、サンプル収集要素は、バーを備える綿スワブに限定されないからである。例えば、サンプル収集要素４００は、収容チャンバ内に完全に収まる綿スワブであることができ、スタンプ(stamp)を切断することは必要でない。
【０２３８】
更なる例において、方法は、第１のハンドル及び第２のハンドルの両方が互いに接触するまで、第１のハンドル及び第２のハンドルを更に作動させることによって、試薬を収容チャンバ内に押し込むステップを更に含む。
【０２３９】
試薬貯槽内では、試薬バッグ２５が空間に設けられる。試薬を放出するために、試薬バッグは、試薬バッグの収容空間を最小にすることによって試薬バッグが破裂するまで、圧縮される。ハンドルは、それらを一緒に回転させるときに、収容空間が最小にされ、試薬バッグの内容物が押し出されるように、構成される。試薬バッグは、試薬バッグの破裂を容易にする所定の破裂点を備えることができる。他の実施形態では、試薬バッグを開くために並びに試薬バッグを切り込むことによって試薬バッグ内の試薬を解放するために、切断要素が提供される。両方の場合において、試薬は押し出される。何故ならば、バッグが収容される空間は、ハンドルを作動させることによって最小化されるからである。試薬は、液体又は固体であり得る。試薬が固体であるときには、固体試薬の溶液を提供するための液体とサンプル収集要素に含まれる要素を溶解するための液体とを収容する、第２のバッグを提供することができる。
【０２４０】
更なる例において、方法は、クランプデバイスによって第１及び第２のハンドルをロックするステップを更に含む。
【０２４１】
試薬は、サンプル収集要素４００に含まれる要素を反応させ且つ／或いは溶解させなければならない。デバイスのあらゆる更なる操作を省略するために、ハンドルは、ロック又はクランプ機構を備え得る。クランプ機構は、ユーザによってアクティブ化（起動）されることができ、或いは、ハンドルが互いに接触させられるときに、クランプ機構がアクティブ化されるように、構成されることができる。クランプ機構は、収容チャンバの内容物の操作を省略するために、環境の要素による収容チャンバの汚染を防止するために、そして、収容チャンバの内容物からユーザを保護するために、ハンドルの事後開放を防止しなければならない。
【０２４２】
更なる例において、方法は、第２のアクチュエータ５０内に生成される容積内に所定の量を吸い込むことによって、収容チャンバに収容される所定の量の流体を除去することを更に含み、生成される容積は、接続部分６０のピストン部分６００及び第２のアクチュエータ５０の頂端部分５０１の距離を増大させることによって生成される。
【０２４３】
更なる例において、方法は、アクチュエータをカートリッジに向かって移動することができるよう、第２のアクチュエータを移動させて収容溝７０４と係合させることを更に含み、穿刺要素７１内のカニューレ７２は、穿刺可能な膜６１を穿刺するための伸張位置に移動させられる。
【０２４４】
液体の吸引が終了させられると、アクチュエータのハンドルは、インタフェース要素７０のハンドル収容溝７０１に嵌入するように回転させられる。アクチュエータのハンドルは、今やインタフェース要素の底の方向に押される。これを行うことによって、穿刺可能な膜は、穿刺要素のカニューレによって又はその直前に穿刺される。カニューレ７２は、穿刺可能な膜を穿刺するために作動させられなければならない。これはユーザによって押されるトリガ又はアクチュエータのハンドルがハンドル収容溝７０４に挿入されるときを認識し得るセンサによって実行されることができる。
【０２４５】
更なる例において、方法は、ピストン部分が上死位置に戻らされるように、アクチュエータを押し戻すことを更に含み、計量チャンバ内の流体は、穿刺されたシール７１を通じてカートリッジ２００の試薬貯槽に押し込まれる。
【０２４６】
封止後に、即ち、穿刺可能な膜６１がカニューレ７２によって穿刺された後に、アクチュエータのハンドルは、下向きに押される。これは計量チャンバからカートリッジ２００内の試薬貯槽８２への液体の移送を引き起こす。計量チャンバの閉じた頂端は、計量チャンバ内の液体を、少なくとも部分的にフィルタを通じてカニューレの管腔内に押し込み、そして、カニューレの管腔を通じてカートリッジの試薬貯槽８２内に押し込む。計量チャンバが空であるときに、通常はアクチュエータのハンドルが収容溝の底に達するときに、カニューレは後退させられ、容器は収容溝から外され、試薬貯槽内のサンプルは、分析デバイス３００によって分析されることができる。次に、容器が１回使用のみを目的とするならば、容器は廃棄されることができる。
【０２４７】
接続要素６０は、穿刺可能な部材を穿刺するために穿刺要素を挿入可能である中空空間６６を提供する。好ましくは、アクチュエータが、特にハンドルが、開始位置にあるとき、即ち、容器の収容チャンバ内に懸濁液２５があるとき、容器は収容溝７２内に挿入されるが、内容物は、アクチュエータのチャンバ内に噴射提供されない。容器は、その下方の第２のハウジング部３０と共に、収容溝７０４内に挿入されるが、アクチュエータ５０のハンドルは、インタフェース要素７０の周壁のリム７０２上に係合される。次に、容器は、下方の第２のハウジング部が収容溝７０２に挿入されるが、ハンドル５００が外側リム上に留まるように、押し下げられる。ハンドルは、アクチュエータ５０が接続要素のピストン部分に対して移動させられるように、アクチュエータを作動させて、計量チャンバ内に負圧及び増大する容積を生成する。吸引開口が試薬２５を収容する収容チャンバに達すると、液体成分は、生成される真空の故に計量チャンバに吸引される。液体の吸引が終了させられると、アクチュエータのハンドルは、インタフェース要素７０のハンドル収容溝７０４に嵌合するよう回転させられる。アクチュエータのハンドルは、今やインタフェース要素の底の方向に押される。これを行うことによって、穿刺可能な膜は、穿刺要素のカニューレによって又はその直前に穿刺される。カニューレは、穿刺可能な膜を穿刺するようアクティブ化されなければならない。これはユーザによって押されるトリガ又はアクチュエータのハンドルがハンドル収容溝７０４に挿入されるときを認識し得るセンサによって実行されることができる。カニューレが穿刺された後に、ハンドルは下向きに押される。これはカートリッジ２００内の試薬貯槽への計量チャンバ内の液体の移送を引き起こす。計量チャンバの閉じられた頂端は、計量チャンバ内の液体を、少なくとも部分的にフィルタを通じてカニューレ内に、そして、カニューレを通じてカートリッジの試薬貯槽内に押し込む。計量チャンバが空であるときに、通常はアクチュエータのハンドルが収容溝の底に到達したときに、カニューレが後退させられ、容器は収容溝から外され、試薬貯槽内のサンプルは、分析デバイス３００によって分析されることができる。次に、容器を廃棄されることができる。何故ならば、容器は１回使用のみを目的としているからである。
【０２４８】
通常、サンプル調製は、反応物を試薬と接触させるステップを含み、それは、例えば、検体を前記磁性粒子と特異的に結合させるか、或いは溶解目的のためにサンプルの細胞と化学的及び／又は機械的に相互作用させる。
【０２４９】
図１３乃至図１９は、注射器（シリンジ）との相違を更に例示している。注射器において、収容開口及び供給開口は同じである。それとは対照的に、このデバイスによれば、アクチュエータは、第１のオリフィス５３を含み、液体は、第１のオリフィス５３を通じて収容され、接続要素は、第２のオリフィス、例えば、穿刺可能な膜６１の開口を定め、計量チャンバ内の計量される流体は、その開口を通じてベース２００内の第２の試薬貯槽に供給される。
【０２５０】
次に図２１を参照すると、図２１は、計量チャンバ５２から試薬貯槽８２に液体を供給するときに乱流を生成することができるデバイスを示している。
【０２５１】
図２１は、乱流生成デバイス８００を概略断面図で例示している。乱流生成デバイスは、液体が乾燥試薬１０１に、好ましくは、磁性粒子１０２を含む脱水試薬に供給されるという原理に従って動作する。本発明によれば、磁性粒子は、サンプルの調製後に検体（液体）に結合するはずである。
【０２５２】
最後のステップにおいて、液体は、ｇＤＮＡフィルタを通過させられて、乾燥磁性粒子８０４と乱流接触させられてよく、乾燥磁性粒子は、一旦懸濁されると、サンプル容積からＲＮＡ分子を捕捉する。次に、これらの粒子は、例えば、分析デバイス３００内で更なる処理を受けるよう磁石によって収集されてよい。
【０２５３】
第２の試薬チャンバ８０２の特性寸法Ｌｃは、穿刺可能な膜６１が計量チャンバ５２内の液体を排出するために穿刺されるときに、液体が試薬に到達するときに乱流を生成するために、体乾燥試薬８０３（典型的には凍結乾燥球）の直径Ｌｒよりもずっと大きくてはならない。
【０２５４】
試薬体８８の直径Ｌｒと第２の試薬チャンバ８０２の直径Ｌｃとの間の式に従った関係は、以下の式（Ｉ）に従って算出されることができ、
【数１】
2019534449.tif 000003
ここで、Ｌｃ＝脱水された第２の試薬体８０３の最大直径であり、Ｌｃ＝第２の試薬チャンバ８０２の最大内側幅であり、ｍ＝乗数、関係である。
【０２５５】
本発明の好ましい実施形態によれば、乗数ｍは、１〜５の範囲であることができ、好ましくは、１．５〜２の範囲であることができ、最も好ましく、はｍ＝２であることができる。
【０２５６】
図２１に示すように、乱流生成デバイス８００は、収縮チョーク（ベンチュリノズル）と同様に、計量チャンバ５２からベースの試薬貯槽８２に液体を供給する、配給チューブ内に狭窄部を有する加速チューブ８０１を含む。計量チャンバからの液体は、加速チューブに起因する比較的高い流速で、磁性粒子８０４を備える第２の試薬８０３を収容する第２の試薬チャンバ８０２に導入される。液体と試薬８０３との良好な混合を保証するために、乱流が生成されなければならない。試薬体８０３の直径と第２の試薬チャンバ８０２の内側幅との間の関係が比較的小さいときに、最大の乱流を達成することができる。好ましくは、脱水された第２の試薬体８０３の直径Ｌｒと第２の試薬チャンバ８０２の最大内側幅Ｌｃとの間の関係ｍは、ｍ＝１〜５の範囲内にある。
【０２５７】
第２の試薬チャンバ８０２は、出口を含み、液体と試薬との混合物は、出口を介して、容器に或いは更なる分析のために送達される分析の容積に更に送達されることができる。
【０２５８】
また、より容易な参照のために番号付けられた以下の例が提供される。
【０２５９】
１．分析の前に患者のサンプルを調製するデバイスであって、ハウジングと、アクチュエータとを含み、ハウジングは、開口を備える収容チャンバと、試薬貯槽とを含み、収容チャンバは、開口を通じてサンプル収集要素を具備する或いは具備しない患者のサンプルの少なくとも部分を収容するように構成され、試薬貯槽は、試薬を収容するように構成され、アクチュエータは、ハウジングに対して移動可能であり、アクチュエータは、患者のサンプルが試薬と少なくとも部分的に混合されるよう、収容チャンバを順次式に閉塞して、試薬貯槽に収容される試薬を収容チャンバのサンプルと接触させる、ように構成される、デバイス。
【０２６０】
２．アクチュエータは、アクチュエータ本体と、収容チャンバの開口に近接して配置される閉塞要素と、アクチュエータの移動後に患者のサンプルと接触する試薬を放出するように構成される放出要素とを含む、例１のデバイス。
【０２６１】
３．収容チャンバがアクチュエータによって閉じられた後のアクチュエータの逆方向の移動を阻止するように構成される阻止要素を更に含む、例１又は２のデバイス。
【０２６２】
４．アクチュエータは、収容チャンバを封止するように更に構成される、例１乃至３のうちのいずれか１つのデバイス。
【０２６３】
５．アクチュエータは、収容チャンバから突出するサンプル収集要素の部分を切断するように更に構成される、例１乃至４のうちのいずれか１つのデバイス。
【０２６４】
６．アクチュエータは、第１に、収容チャンバから突出するサンプル収集要素の部分を切断し、第２に、収容チャンバを閉塞して封止し、第３に、試薬貯槽から収容チャンバ内にあるサンプル収集要素の部分に試薬を放出する、ように構成される、例１乃至５のうちのいずれか１つのデバイス。
【０２６５】
７．閉塞要素は、アクチュエータが開口を閉じるように移動させられるときに互いに向かって移動する２つの把持要素を含む、例２のデバイス。
【０２６６】
８．アクチュエータは、収容チャンバの円周に沿って移動するように構成される、例１乃至７のうちのいずれか１つのデバイス。
【０２６７】
９．アクチュエータは、壁部分を含み、壁部分は、アクチュエータが収容チャンバに対して移動するときに、試薬を試薬貯槽から供給させる、例１乃至８のうちのいずれか１つのデバイス。
【０２６８】
１０．試薬は、溶解剤を含む、例１乃至９のうちのいずれか１つのデバイス。
【０２６９】
１１．計量チャンバを備える第２のアクチュエータを更に含み、第２のアクチュエータは、試薬と患者のサンプルとを含む混合物を収容チャンバから計量チャンバ内に移送するように構成される、例１乃至１０のうちのいずれか１つのデバイス。
【０２７０】
１２．第２の試薬貯槽を更に含み、第２の試薬貯槽は、第２の試薬を収容するように構成され、第２のアクチュエータは、第２の試薬貯槽に液体を供給するように構成される、例１１のデバイス。
【０２７１】
１３．アクチュエータは、試薬貯槽内の試薬を収容チャンバに供給することによってサンプルと接触させられるように更に構成されるので、患者のサンプルが収容チャンバ内にあるとき、患者のサンプルは、試薬と少なくとも部分的に混合される、例１のデバイス。
【０２７２】
１４．試薬を提供して、試薬貯槽内に前記試薬を挿入するステップと、収容チャンバ内のサンプル収集要素の又は患者のサンプルの少なくとも部分を受け取るステップであって、患者のサンプルは、サンプル収集要素の１つの部分の上にある、ステップと、デバイスのハウジングを閉塞するステップと、患者のサンプルを少なくとも部分的に試薬と混合するために患者のサンプルに試薬を供給するステップとを含む、例１に従ったデバイスを使用する方法。
【０２７３】
１５．例１４の方法は、収容チャンバを封止するステップを更に含む。
【０２７４】
本発明の実施形態は、異なる主題を参照して記載されていることが留意されなければならない。特に、幾つかの実施形態は、方法の種類の例を参照して記載されているのに対し、他の実施形態は、デバイスの種類の例を参照して記載されている。しかしながら、当業者は、特段の断りのない限り、１つの種類の主題に属する構成の任意の組み合わせに加えて、異なる主題に関する構成の間の任意の組み合わせもこの出願で開示されていると考えられることを、上述の記述及び以下の記述から推測するであろう。しかしながら、全ての構成を組み合わせて、それらの構成の単純な合計よりも多くの相乗効果を提供することができる。
【０２７５】
本発明を図面及び前述の記述において詳細に例示し且つ記載したが、そのような例示及び記述は、例示的又は例証的であると考えられるべきであり、限定的であると考えられるべきでない。本発明は、開示の実施形態に限定されない。当業者は、請求項の発明を実施する際に、図面、本開示、及び添付の特許請求の範囲の検討から、開示の実施形態に対する他の変形を理解して達成することができる。
【０２７６】
請求項において、「含む」という語は、他の要素又はステップを排除しない。単数形の表現は、複数形を排除しない。特定の手段が相互に異なる従属項に列挙されているという単なる事実は、これらの手段の組み合わせを有利に使用し得ないことを示さない。請求項中の如何なる参照符号も、その範囲を限定するものとして解釈されてならない。
【符号の説明】
【０２７７】
１０    第１のハウジング部
１１    閉塞要素
１２    シール
１３    切断要素
１４    収容開口
１５    切断開口
１６    第１のハンドル
２０    第１のアクチュエータ
２１    シール
２２    第２のハンドル、グリッピング部材、レベル部材
２３    供給要素
２４    第１の試薬貯槽、試薬倉庫
２５    試薬
３０    第２のハウジング部
３１    シール
３２    収容チャンバ（収容空間）
４０    案内要素
５０    第２のアクチュエータ
５１    シール
５２    計量チャンバ、管腔（計量空間）
５３    吸引開口オリフィス
６０    接続要素
６１    穿刺可能な膜、シーリング、閉塞デバイス
６２    中空ピン
６３    フィルタ、フィルタ要素
６４    凹部、溝
６５    貫通穴、小さなチューブ
６６    第２のオリフィス
６７    取付けベース、ベースプレート
６８    漏斗、収容開口
６９    ピストン部分
７０    インタフェース要素
７１    穿刺要素、開口部材
７２    カニューレ、中空針
８０    底プレート
８１    舌部
８２    第２の試薬貯槽、液体収容容積、検出チャンバ、試薬チャンバ
８３    流路
８４    検出チャンバ
１００  容器
２００  カートリッジ／ベース
２０１  第１の例のカートリッジ
２０２  第２の例のカートリッジ
２０３  シリンダ
３００  分析デバイス
４００  サンプル収集要素
５００  シリンダ、周壁、円筒形本体
５０１  閉じた頂端
５０２  開いた底端
５０３  ハンドル
６００  ピストン
６０１  内部シリンダ
７００  第２のオリフィス、カニューレの穿刺開口
７０１  横方向凹部、側方スロット
７０２  リム
７０３  シリンダ
７０４  収容溝
８００  乱流生成デバイス
８０１  狭窄、加速チューブ
８０２  第２の試薬チャンバ
８０３  第２の試薬、磁性粒子試薬
８０４  磁性粒子
８０５  出口
Ｖ１    試薬貯槽の容積
Ｖ２    計量液のための容積
【図１】
2019534449.tif 000004
【図２】
2019534449.tif 000005
【図３】
2019534449.tif 000006
【図４】
2019534449.tif 000007
【図５Ａ】
2019534449.tif 000008
【図５Ｂ】
2019534449.tif 000009
【図５Ｃ】
2019534449.tif 000010
【図５Ｄ】
2019534449.tif 000011
【図６】
2019534449.tif 000012
【図７Ａ】
2019534449.tif 000013
【図７Ｂ】
2019534449.tif 000014
【図７Ｃ】
2019534449.tif 000015
【図８Ａ】
2019534449.tif 000016
【図８Ｂ】
2019534449.tif 000017
【図９】
2019534449.tif 000018
【図１０】
2019534449.tif 000019
【図１１】
2019534449.tif 000020
【図１２Ａ】
2019534449.tif 000021
【図１２Ｂ】
2019534449.tif 000022
【図１２Ｃ】
2019534449.tif 000023
【図１２Ｄ】
2019534449.tif 000024
【図１３】
2019534449.tif 000025
【図１４】
2019534449.tif 000026
【図１５】
2019534449.tif 000027
【図１６】
2019534449.tif 000028
【図１７】
2019534449.tif 000029
【図１８】
2019534449.tif 000030
【図１９】
2019534449.tif 000031
【図２０】
2019534449.tif 000032
【図２１】
2019534449.tif 000033
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
分析の前に患者のサンプルを調製するデバイスであって、
−  ハウジングと、
−  アクチュエータとを含み、
前記ハウジングは、開口を備える収容チャンバと、試薬貯槽とを含み、
前記収容チャンバは、前記開口を通じて前記患者のサンプルの少なくとも部分を収容するように構成され、前記試薬貯槽は、試薬を収容するように構成され、
前記アクチュエータは、前記ハウジングに対して移動可能であり、前記アクチュエータは、前記収容チャンバを順次式に閉塞して、前記試薬貯槽に収容される前記試薬を前記収容チャンバの前記サンプルと接触させるように構成されるので、前記患者のサンプルは、前記試薬と少なくとも部分的に混合され、
前記アクチュエータは、アクチュエータ本体と、前記収容チャンバの前記開口を閉塞するように構成される閉塞要素と、前記アクチュエータの移動後に前記試薬を放出して前記患者のサンプルと接触させるように構成される放出要素とを含む、
デバイス。
【請求項２】
前記試薬貯槽内の前記試薬を含み、好ましくは、前記試薬は、溶解剤を含む、請求項１に記載のデバイス。
【請求項３】
前記収容チャンバが前記アクチュエータによって閉じられた後の前記アクチュエータの逆方向の移動を阻止するように構成される阻止要素を更に含む、請求項１又は２に記載のデバイス。
【請求項４】
前記アクチュエータは、前記開口を閉じるときに前記収容チャンバを封止するように更に構成される、請求項２又は３に記載のデバイス。
【請求項５】
前記アクチュエータは、前記収容チャンバから突出する前記サンプル収集要素の部分を切断するように更に構成される、請求項１乃至４のうちのいずれか１項に記載のデバイス。
【請求項６】
前記アクチュエータは、第１に、前記収容チャンバから突出する前記サンプル収集要素の部分を切断し、第２に、前記収容チャンバを閉塞して封止し、第３に、前記試薬貯槽から前記収容チャンバ内にある前記サンプル収集要素の前記部分に前記試薬を放出する、ように構成される、請求項５に記載のデバイス。
【請求項７】
前記閉塞要素は、前記アクチュエータが前記開口を閉じるように移動させられるときに互いに向かって移動する２つの把持要素を含む、請求項２乃至６のうちのいずれか１項に記載のデバイス。
【請求項８】
前記アクチュエータは、前記ハウジングに対して回転させられるように構成される、請求項１乃至７のうちのいずれか１項に記載のデバイス。
【請求項９】
前記収容チャンバの閉塞装置が提供され、
該閉塞装置は、切断部分を含み、
該切断部分は、前記収容チャンバから突出し得るサンプル収集要素の部分を切断するように構成され、
前記供給アクチュエータは、前記収容チャンバの前記閉塞をアクティブ化する閉塞アクチュエータとしても作用し、サンプル収集要素の前記突出する部分の切断をアクティブ化する切断アクチュエータとしても作用する、
請求項１乃至８のうちのいずれか１項に記載のデバイス。
【請求項１０】
前記アクチュエータは、前記収容チャンバの円周に沿って移動するように構成される、請求項１乃至９のうちのいずれか１項に記載のデバイス。
【請求項１１】
前記アクチュエータは、壁部分を含み、該壁部分は、前記アクチュエータが前記収容チャンバに対して移動するときに、前記試薬を前記試薬貯槽から供給させる、請求項１乃至１０のうちのいずれか１項に記載のデバイス。
【請求項１２】
第２の試薬貯槽を更に含み、該第２の試薬貯槽は、第２の試薬を収容するように構成され、第２のアクチュエータが、前記第２の試薬貯槽に前記液体を供給するように構成される、請求項１乃至１１のうちのいずれか１項に記載のデバイス。
【請求項１３】
患者のサンプルを分析するシステムであって、
−  請求項１乃至１２のうちのいずれか１項に記載のデバイスとして提供されるサンプル調製デバイスと、
−  該サンプル調製デバイスによって提供される液体の少なくとも１つの分析を行うように構成されるサンプル分析デバイスとを含む、
システム。
【請求項１４】
請求項１乃至１２のうちのいずれか１項に記載のデバイスを使用して分析前に患者のサンプルを調製する方法であって、
試薬を提供して、該試薬を前記試薬貯槽内に挿入するステップと、
前記収容チャンバ内のサンプル収集要素の又は患者のサンプルの少なくとも部分を収容するステップであって、患者のサンプルは、前記サンプル収集要素の１つの部分の上にある、ステップと、
前記デバイスの前記ハウジングを閉塞するステップと、
前記患者のサンプルを少なくとも部分的に前記試薬と混合するために前記患者のサンプルに前記試薬を供給するステップとを含む、
方法。
【手続補正２】
【補正対象書類名】明細書
【補正対象項目名】００１１
【補正方法】変更
【補正の内容】
【００１１】
本発明によれば、ハウジングと、アクチュエータとを含む、分析前に患者のサンプルを調製するデバイスが提供される。ハウジングは、開口を備える収容チャンバと、試薬貯槽とを含む。収容チャンバは、開口を通じて患者のサンプルの少なくとも部分を収容するように構成され、試薬貯槽は、試薬を収容するように構成される。アクチュエータは、ハウジングに対して移動可能であり、アクチュエータは、収容チャンバを順次式に閉じて、試薬貯槽に収容される試薬を収容チャンバのサンプルと接触させるように構成されるので、患者のサンプルは、試薬と少なくとも部分的に混合され、アクチュエータは、アクチュエータ本体と、収容チャンバの開口を閉塞するように構成される閉塞要素と、アクチュエータの移動後に試薬を放出して患者のサンプルと接触させるように構成される放出要素とを含む。
【手続補正３】
【補正対象書類名】明細書
【補正対象項目名】００１７
【補正方法】変更
【補正の内容】
【００１７】
アクチュエータは、アクチュエータ本体と、収容チャンバの開口を閉塞するように構成される閉塞要素と、アクチュエータの移動後に試薬を放出して患者のサンプルと接触させるように構成される放出要素とを含む。
【手続補正４】
【補正対象書類名】明細書
【補正対象項目名】００２７
【補正方法】変更
【補正の内容】
【００２７】
本発明によれば、上述のようなデバイスを使用して分析前に患者のサンプルを調製する方法も提供される。方法は、
ａ）試薬を提供して、試薬貯槽内に記試薬を挿入するステップと、
ｂ）収容チャンバ内のサンプル収集要素の又は患者のサンプルの少なくとも部分を受け取るステップであって、患者のサンプルは、サンプル収集要素の１つの部分の上にある、ステップと、
ｃ）デバイスのハウジングを閉塞するステップと、
ｄ）患者のサンプルを少なくとも部分的に試薬と混合するために患者のサンプルに試薬を供給するステップとを含む。
【国際調査報告】
2019534449.tif 000034
2019534449.tif 000035
2019534449.tif 000036